(57)【要約】本願の実施形態は、データを正確に受信又は送信するために、同期信号（ＳＳ）の中心周波数が搬送波の中心周波数と一致しないときに物理リソースブロック（ＰＲＢ）グリッドを決定する通信方法、通信装置及び通信システムを提供する。方法は、端末によってネットワークデバイスからＳＳを受信することと、端末によってＳＳに基づき第１ＰＲＢグリッドを決定することと、端末によってネットワークデバイスから、第１ＰＲＢグリッドと第２ＰＲＢグリッドとの間の第１周波数オフセットを示すために使用される第１指示情報を受信することと、端末によって第１ＰＲＢグリッド及び第１周波数オフセットに基づき第２ＰＲＢグリッドを決定することを含む。
2020530743.tif 000002
【特許請求の範囲】
【請求項１】
通信方法であって、
端末によってネットワークデバイスから同期信号を受信することと、
前記端末によって前記同期信号に基づき第１物理リソースブロックグリッドを決定することと、
前記端末によって前記ネットワークデバイスから、前記第１物理リソースブロックグリッドと第２物理リソースブロックグリッドとの間の第１周波数オフセットを示すために使用される第１指示情報を受信することと、
前記端末によって前記第１物理リソースブロックグリッド及び前記第１周波数オフセットに基づき前記第２物理リソースブロックグリッドを決定することと
を有する方法。
【請求項２】
前記第２物理リソースブロックグリッドのサブキャリア間隔は、前記同期信号のサブキャリア間隔と同じである、
請求項１に記載の方法。
【請求項３】
前記端末によって前記ネットワークデバイスから第１指示情報を受信することは、
前記端末によって物理ブロードキャストチャネルＰＢＣＨを通じて前記第１指示情報を受信することを有する、
請求項１又は２に記載の方法。
【請求項４】
前記第１指示情報は、周波数オフセット値を示すために使用され、前記第２物理リソースブロックグリッドに対する前記第１物理リソースブロックグリッドのオフセット方向は、予め定義されるか、又は第２指示情報を使用することによって示され、あるいは、
前記第１指示情報は、周波数オフセット値と、前記第２物理リソースブロックグリッドに対する前記第１物理リソースブロックグリッドのオフセット方向とを示すために使用される、
請求項１乃至３のうちいずれか一項に記載の方法。
【請求項５】
前記端末によって前記ネットワークデバイスから、前記第２物理リソースブロックグリッドと第３物理リソースブロックグリッドとの間の第２周波数オフセットを示すために使用される第３指示情報を受信し、前記第３物理リソースブロックグリッドのサブキャリア間隔は前記同期信号の前記サブキャリア間隔よりも大きい、ことと、
前記端末によって前記第２物理リソースブロックグリッド及び前記第２周波数オフセットに基づき前記第３物理リソースブロックグリッドを決定することと
を更に有する、
請求項１乃至４のうちいずれか一項に記載の方法。
【請求項６】
前記端末によって前記ネットワークデバイスから第３指示情報を受信することは、
前記端末によって前記物理ブロードキャストチャネルＰＢＣＨを通じて前記第３指示情報を受信すること、又は
前記端末によって、前記第３指示情報を運ぶ剰余最小システム情報ＲＭＳＩを受信すること、又は
前記端末によって、前記第３指示情報を運ぶ無線リソース制御ＲＲＣメッセージを受信すること
を有する、
請求項５に記載の方法。
【請求項７】
通信方法であって、
ネットワークデバイスによって第１物理リソースブロックグリッドに基づき端末へ同期信号を送信することと、
前記ネットワークデバイスによって、前記第１物理リソースブロックグリッドと第２物理リソースブロックグリッドとの間の第１周波数オフセットを示すために使用される第１指示情報を前記端末へ送信することと、
前記ネットワークデバイスによって前記第２物理リソースブロックグリッドに基づき前記端末との情報伝送を行うことと
を有する方法。
【請求項８】
前記第２物理リソースブロックグリッドのサブキャリア間隔は、前記同期信号のサブキャリア間隔と同じである、
請求項７に記載の方法。
【請求項９】
前記ネットワークデバイスによって第１指示情報を前記端末へ送信することは、
前記ネットワークデバイスによって物理ブロードキャストチャネルＰＢＣＨを通じて前記第１指示情報を送信することを有する、
請求項７又は８に記載の方法。
【請求項１０】
前記第１指示情報は、周波数オフセット値を示すために使用され、前記第２物理リソースブロックグリッドに対する前記第１物理リソースブロックグリッドのオフセット方向は、予め定義されるか、又は第２指示情報を使用することによって示され、あるいは、
前記第１指示情報は、周波数オフセット値と、前記第２物理リソースブロックグリッドに対する前記第１物理リソースブロックグリッドのオフセット方向とを示すために使用される、
請求項７乃至９のうちいずれか一項に記載の方法。
【請求項１１】
前記ネットワークデバイスによって、前記第２物理リソースブロックグリッドと第３物理リソースブロックグリッドとの間の第２周波数オフセットを示すために使用される第３指示情報を前記端末へ送信し、前記第３物理リソースブロックグリッドのサブキャリア間隔は前記同期信号の前記サブキャリア間隔よりも大きい、ことと、
前記ネットワークデバイスによって前記第３物理リソースブロックグリッドに基づき前記端末との情報伝送を行うことと
を更に有する、
請求項７乃至１０のうちいずれか一項に記載の方法。
【請求項１２】
前記ネットワークデバイスによって第３指示情報を前記端末へ送信することは、
前記ネットワークデバイスによって前記物理ブロードキャストチャネルＰＢＣＨを通じて前記第３指示情報を送信すること、又は
前記ネットワークデバイスによって、前記第３指示情報を運ぶ剰余最小システム情報ＲＭＳＩを送信すること、又は
前記ネットワークデバイスによって、前記第３指示情報を運ぶ無線リソース制御ＲＲＣメッセージを送信すること
を有する、
請求項１１に記載の方法。
【請求項１３】
請求項１乃至６のうちいずれか一項に記載のステップを実行するよう構成されたユニット又は手段を有する通信装置。
【請求項１４】
請求項７乃至１２のうちいずれか一項に記載のステップを実行するよう構成されたユニット又は手段を有する通信装置。
【請求項１５】
少なくとも１つの処理要素及び少なくとも１つの記憶要素を有し、
前記少なくとも１つの記憶要素は、プログラム及びデータを記憶するよう構成され、
前記少なくとも１つの処理要素は、請求項１乃至６のうちいずれか一項に記載の方法を実行するよう構成される、
通信装置。
【請求項１６】
少なくとも１つの処理要素及び少なくとも１つの記憶要素を有し、
前記少なくとも１つの記憶要素は、プログラム及びデータを記憶するよう構成され、
前記少なくとも１つの処理要素は、請求項７乃至１２のうちいずれか一項に記載の方法を実行するよう構成される、
通信装置。
【請求項１７】
コンピュータプログラムが記憶されており、該プログラムがプロセッサによって実行されるときに、請求項１乃至１２のうちいずれか一項に記載の方法が実施される、
コンピュータ記憶媒体。
【請求項１８】
通信方法であって、
端末によって第１物理リソースブロックＰＲＢグリッドＤ１を決定し、該第１ＰＲＢグリッドＤ１に対応するサブキャリア間隔は第１サブキャリア間隔Ｓ１である、ことと、
前記端末によってネットワークデバイスから、前記第１ＰＲＢグリッドＤ１と第２ＰＲＢグリッドＤ２との間の第１周波数オフセットＦ２を示すために使用される第１指示情報Ｉ３を受信し、前記第２ＰＲＢグリッドＤ２に対応するサブキャリア間隔は第２サブキャリア間隔Ｓ２であり、該第２サブキャリア間隔Ｓ２は前記第１サブキャリア間隔Ｓ１よりも大きい、ことと、
前記端末によって前記第１ＰＲＢグリッドＤ１及び前記第１周波数オフセットＦ２に基づき前記第２ＰＲＢグリッドＤ２を決定することと
を有する方法。
【請求項１９】
前記端末によって前記ネットワークデバイスから同期信号を受信することと、
前記端末によって前記同期信号に基づき第３ＰＲＢグリッドＤ０を決定することと、
前記端末によって前記ネットワークデバイスから、前記第３ＰＲＢグリッドＤ０と前記第１ＰＲＢグリッドＤ１との間の第２周波数オフセットＦ１を示すために使用される第２指示情報Ｉ１を受信することと
を更に有する、
請求項１８に記載の方法。
【請求項２０】
端末によって第１ＰＲＢグリッドＤ１を決定することは、
前記端末によって前記第３ＰＲＢグリッドＤ０及び前記第２周波数オフセットＦ１に基づき前記第１ＰＲＢグリッドＤ１を決定することを有する、
請求項１９に記載の方法。
【請求項２１】
前記端末によって前記ネットワークデバイスから第２指示情報Ｉ１を受信することは、
前記端末によって物理ブロードキャストチャネルＰＢＣＨを通じて前記第２指示情報Ｉ１を受信することを有する、
請求項１９又は２０に記載の方法。
【請求項２２】
前記第１サブキャリア間隔Ｓ１は、１５ｋＨｚ又は６０ｋＨｚである、
請求項１８乃至２１のうちいずれか一項に記載の方法。
【請求項２３】
前記端末によってネットワークデバイスから第１指示情報Ｉ３を受信することは、
前記端末によって前記ネットワークデバイスから、前記第１指示情報Ｉ３を運ぶ剰余最小システム情報ＲＭＳＩを受信することを有する、
請求項１８乃至２２のうちいずれか一項に記載の方法。
【請求項２４】
前記端末によって前記第２ＰＲＢグリッドＤ２に基づき前記ネットワークデバイスとの情報伝送を行うことを更に有する、
請求項１８乃至２３のうちいずれか一項に記載の方法。
【請求項２５】
通信方法であって、
ネットワークデバイスによって、第１ＰＲＢグリッドＤ１と第２ＰＲＢグリッドＤ２との間の第１周波数オフセットＦ２を示すために使用され且つ前記第２ＰＲＢグリッドＤ２を決定するために使用される第１指示情報Ｉ３を端末へ送信し、前記第１ＰＲＢグリッドＤ１に対応するサブキャリア間隔は第１サブキャリア間隔Ｓ１であり、前記第２ＰＲＢグリッドＤ２に対応するサブキャリア間隔は第２サブキャリア間隔Ｓ２であり、該第２サブキャリア間隔Ｓ２は前記第１サブキャリア間隔Ｓ１よりも大きい、ことと、
前記ネットワークデバイスによって前記第２ＰＲＢグリッドＤ２に基づき前記端末との情報伝送を行うことと
を有する方法。
【請求項２６】
前記ネットワークデバイスによって同期信号を前記端末へ送信し、前記同期信号に対応するＰＲＢグリッドは第３ＰＲＢグリッドＧ０である、ことと、
前記ネットワークデバイスによって、前記第３ＰＲＢグリッドＤ０と前記第１ＰＲＢグリッドＤ１との間の第２周波数オフセットＦ１を示すために使用され且つ前記第１ＰＲＢグリッドＤ１を決定するために使用される第２指示情報Ｉ１を前記端末へ送信することと
を更に有する、
請求項２５に記載の方法。
【請求項２７】
前記ネットワークデバイスによって第２指示情報Ｉ１を前記端末へ送信することは、
前記ネットワークデバイスによって物理ブロードキャストチャネルＰＢＣＨを通じて前記第２指示情報Ｉ１を送信することを有する、
請求項２５又は２６に記載の方法。
【請求項２８】
前記第１サブキャリア間隔Ｓ１は、１５ｋＨｚ又は６０ｋＨｚである、
請求項２５乃至２７のうちいずれか一項に記載の方法。
【請求項２９】
ネットワークデバイスによって第１指示情報Ｉ３を端末へ送信することは、
前記ネットワークデバイスによって、前記第１指示情報Ｉ３を運ぶ剰余最小システム情報ＲＭＳＩを前記端末へ送信することを有する、
請求項２５乃至２８のうちいずれか一項に記載の方法。
【請求項３０】
請求項１８乃至２４のうちいずれか一項に記載のステップを実行するよう構成されたユニット又は手段を有する通信装置。
【請求項３１】
処理要素を有し、
前記処理要素は、記憶要素へ接続し、該記憶要素に記憶されているプログラムを実行して、請求項１８乃至２４のうちいずれか一項に記載の方法を実施するよう構成される、
通信装置。
【請求項３２】
請求項２５乃至２９のうちいずれか一項に記載のステップを実行するよう構成されたユニット又は手段を有する通信装置。
【請求項３３】
処理要素を有し、
前記処理要素は、記憶要素へ接続し、該記憶要素に記憶されているプログラムを実行して、請求項２５乃至２９のうちいずれか一項に記載の方法を実施するよう構成される、
通信装置。
【請求項３４】
コンピュータプログラムが記憶されており、該プログラムがプロセッサによって実行されるときに、請求項１８乃至２４のうちいずれか一項に記載の方法が実施される、
コンピュータ記憶媒体。
【請求項３５】
コンピュータプログラムが記憶されており、該プログラムがプロセッサによって実行されるときに、請求項２５乃至２９のうちいずれか一項に記載の方法が実施される、
コンピュータ記憶媒体。
【請求項３６】
通信方法であって
端末によってネットワークデバイスから同期信号を受信し、該同期信号に使用される物理リソースブロックグリッドは第１物理リソースブロックグリッドである、ことと、
前記端末によって前記ネットワークデバイスから、前記第１物理リソースブロックグリッドと第２物理リソースブロックグリッドとの間の第１周波数オフセットを示すために使用される第１指示情報を受信することと、
前記端末によって前記ネットワークデバイスから、前記第２物理リソースブロックグリッドと第３物理リソースブロックグリッドとの間の第２周波数オフセットを示すために使用される第２指示情報を受信することと
を有する方法。
【請求項３７】
前記端末によって前記同期信号に基づき前記第１物理リソースブロックグリッドを決定することと、
前記第１物理リソースブロックグリッド及び前記第１周波数オフセットに基づき前記第２物理リソースブロックグリッドを決定することと
を更に有する、
請求項３６に記載の方法。
【請求項３８】
前記端末によって前記第２物理リソースブロックグリッド及び前記第２周波数オフセットに基づき前記第３物理リソースブロックグリッドを決定することを更に有する、
請求項３６又は３７に記載の方法。
【請求項３９】
前記端末によって前記第３物理リソースブロックグリッドに基づき前記ネットワークデバイスとの情報伝送を行うことを更に有する、
請求項３６乃至３８のうちいずれか一項に記載の方法。
【請求項４０】
前記端末によって前記ネットワークデバイスから第１指示情報を受信することは、
前記端末によって物理ブロードキャストチャネルＰＢＣＨを通じて前記第１指示情報を受信することを有する、
請求項３６乃至３９のうちいずれか一項に記載の方法。
【請求項４１】
前記端末が前記ネットワークデバイスから前記第３指示情報を受信することは、
前記端末によって、前記第３指示情報を運ぶ剰余最小システム情報ＲＭＳＩを受信することを有する、
請求項３６乃至４０のうちいずれか一項に記載の方法。
【請求項４２】
前記第２物理リソースブロックグリッドのサブキャリア間隔は、１５ｋＨｚ又は６０ｋＨｚである、
請求項３６乃至４１のうちいずれか一項に記載の方法。
【請求項４３】
通信方法であって、
ネットワークデバイスによって同期信号を端末へ送信し、前記同期信号に使用される物理リソースブロックグリッドは第１物理リソースブロックグリッドである、ことと、
前記ネットワークデバイスによって、前記第１物理リソースブロックグリッドと第２物理リソースブロックグリッドとの間の第１周波数オフセットを示すために使用される第１指示情報を前記端末へ送信することと、
前記ネットワークデバイスによって、前記第２物理リソースブロックグリッドと第３物理リソースブロックグリッドとの間の第２周波数オフセットを示すために使用される第２指示情報を前記端末へ送信することと
を有する方法。
【請求項４４】
前記ネットワークデバイスによって前記第３物理リソースブロックグリッドに基づき前記端末との情報伝送を行うことを更に有する、
請求項４３に記載の方法。
【請求項４５】
前記ネットワークデバイスによって第１指示情報を前記端末へ送信することは、
前記ネットワークデバイスによって物理ブロードキャストチャネルＰＢＣＨを通じて前記第１指示情報を送信することを有する、
請求項４３又は４４に記載の方法。
【請求項４６】
前記ネットワークデバイスが前記第３指示情報を前記端末へ送信することは、
前記ネットワークデバイスによって、前記第３指示情報を運ぶ剰余最小システム情報ＲＭＳＩを送信することを有する、
請求項４３乃至４５のうちいずれか一項に記載の方法。
【請求項４７】
前記第２物理リソースブロックグリッドのサブキャリア間隔は、１５ｋＨｚ又は６０ｋＨｚである、
請求項４３乃至４６のうちいずれか一項に記載の方法。
【請求項４８】
請求項３６乃至４２のうちいずれか一項に記載のステップを実行するよう構成されたユニット又は手段を有する通信装置。
【請求項４９】
処理要素を有し、
前記処理要素は、記憶要素へ接続し、該記憶要素に記憶されているプログラムを実行して、請求項３６乃至４２のうちいずれか一項に記載の方法を実施するよう構成される、
通信装置。
【請求項５０】
請求項４３乃至４７のうちいずれか一項に記載のステップを実行するよう構成されたユニット又は手段を有する通信装置。
【請求項５１】
処理要素を有し、
前記処理要素は、記憶要素へ接続し、該記憶要素に記憶されているプログラムを実行して、請求項４３乃至４７のうちいずれか一項に記載の方法を実施するよう構成される、
通信装置。
【請求項５２】
コンピュータプログラムが記憶されており、該プログラムがプロセッサによって実行されるときに、請求項３６乃至４２のうちいずれか一項に記載の方法が実施される、
コンピュータ記憶媒体。
【請求項５３】
コンピュータプログラムが記憶されており、該プログラムがプロセッサによって実行されるときに、請求項４３乃至４７のうちいずれか一項に記載の方法が実施される、
コンピュータ記憶媒体。
【発明の詳細な説明】
【技術分野】
【０００１】
本願の実施形態は、通信技術の分野に、特に、通信方法、通信装置、及び通信システムに関係がある。
【背景技術】
【０００２】
無線通信技術では、端末が電源を入れられた後、端末は、無線ネットワークによってサービスを提供されるように、セル探索、システム情報受信、及びランダムアクセスのプロセスを経てから無線ネットワークにアクセスする。セル探索プロセス中、端末は同期信号（synchronization  signal，ＳＳ）を検出し、ＳＳに基づき、端末がキャンプオンするセルを決定し、セルとのダウンリンク同期を達成する。
【０００３】
端末は、チャネルラスタ（channel  raster）の粒度でＳＳを検出する。チャネルラスタは全ての帯域（band）について１００ｋＨｚである。すなわち、搬送波の中心周波数は１００ｋＨｚの整数倍である。ＳＳは、プライマリ同期信号（primary  synchronization  signal，ＰＳＳ）及びセカンダリ同期信号（secondary  synchronization  signal，ＳＳＳ）を含む。周波数領域において、ＰＳＳ及びＳＳＳは、搬送波（すなわち、全システム帯域幅）の真ん中にある６つの物理リソースブロック（physical  resource  block，ＰＲＢ）、すなわち、搬送波の真ん中にある７２個のサブキャリアにマッピングされる。端末はこの場合にセルとのダウンリンク同期を未だ達成していないので、干渉を防ぐために、ＰＳＳ及びＳＳＳは、実際には、搬送波の真ん中にある６２個のサブキャリアにマッピングされ、６２個のサブキャリアの両側にある５つのサブキャリアは保護機能を果たす。ＳＳは搬送波の中央に位置することが知られ得る。すなわち、ＳＳの中心周波数は搬送波の中心周波数と一致する（又は同じである）。従って、ＳＳを検出した後、端末は搬送波の中心周波数を知ることができる。
【０００４】
セル探索後、端末はセルとのダウンリンク同期を達成し、ネットワークデバイスによってセルを通じて送られるダウンリンク情報を受信することができる。例えば、ネットワークデバイスは、物理ブロードキャストチャネル（physical  broadcast  channel，ＰＢＣＨ）で搬送波の帯域幅（又はシステム帯域幅と呼ばれる。）情報をブロードキャストする。端末は、搬送波の帯域幅情報を受信し、搬送波の帯域幅情報に基づき搬送波帯域幅を決定する。このようにして、端末は、ＳＳを検出した後に搬送波の中心周波数を取得し、ＰＢＣＨを探索した後に搬送波帯域幅を取得し、それから、搬送波の中心周波数及び搬送波帯域幅に基づき搬送波の物理リソースブロック（physical  resource  block，ＰＲＢ）のグリッド（grid）を決定することができる。
【０００５】
通信技術の発展とともに、ＳＳの中心周波数はもはや、搬送波の中心周波数と一致しない。ＰＲＢグリッドを決定する既存の方法が使用される場合に、次の問題が生じることがある：リソースが誤って解釈され、データが正確に受信又は送信され得ず、通信品質劣化を引き起こす。
【発明の概要】
【０００６】
本願の実施形態は、データを正確に受信又は送信するために、同期信号（ＳＳ）の中心周波数が搬送波の中心周波数と一致しないときに物理リソースブロック（ＰＲＢ）グリッドを決定する通信方法、通信装置及び通信システムを提供する。
【０００７】
第１の態様に従って、端末によってネットワークデバイスからＳＳを受信することと、前記端末によって前記ＳＳに基づき第１ＰＲＢグリッドを決定することと、前記端末によって前記ネットワークデバイスから、前記第１ＰＲＢグリッドと第２ＰＲＢグリッドとの間の第１周波数オフセットを示すために使用される第１指示情報を受信することと、前記端末によって前記第１ＰＲＢグリッド及び前記第１周波数オフセットに基づき前記第２ＰＲＢグリッドを決定することとを含む通信方法が提供される。
【０００８】
第２の態様に従って、ネットワークデバイスによって第１ＰＲＢグリッドに基づき端末へＳＳを送信することと、前記ネットワークデバイスによって、前記第１ＰＲＢグリッドと第２ＰＲＢグリッドとの間の第１周波数オフセットを示すために使用される第１指示情報を前記端末へ送信することと、前記ネットワークデバイスによって前記第２ＰＲＢグリッドに基づき前記端末との情報伝送を行うこととを含む通信方法が提供される。
【０００９】
第３の態様に従って、端末に適用され、第１の態様のステップを実行するよう構成されたユニット又は手段（means）を含む通信装置が提供される。
【００１０】
第４の態様に従って、ネットワークデバイスに適用され、第２の態様のステップを実行するよう構成されたユニット又は手段（means）を含む通信装置が提供される。
【００１１】
第５の態様に従って、少なくとも１つの処理要素及び少なくとも１つの記憶要素を含み、前記少なくとも１つの記憶要素がプログラム及びデータを記憶するよう構成される通信装置が提供される。当該装置が端末に適用される場合に、前記少なくとも１つの処理要素は、本願の第１の態様で提供される方法を実行するよう構成される。当該装置がネットワークデバイスに適用される場合に、前記少なくとも１つの処理要素は、本願の第２の態様で提供される方法を実行するよう構成される。
【００１２】
第６の態様に従って、第１の態様又は第２の態様に従う方法を実行するよう構成された少なくとも１つの処理要素（又はチップ）を含む通信装置が提供される。
【００１３】
第７の態様に従って、プロセッサによって実行されているときに、第１の態様又は第２の態様に従う方法が実行されるプログラムが提供される。
【００１４】
第８の態様に従って、第７の態様に従うプログラムを含むプログラム製品、例えば、コンピュータ可読記憶媒体が提供される。
【００１５】
上記の態様に従って、ネットワークデバイスは、端末に対して、ＳＳに対応するＰＲＢグリッドとデータ／制御チャネルに対応するＰＲＢグリッドとの間の周波数オフセットを示して、それにより、ＳＳを検出する場合に、端末は、ＳＳに対応するＰＲＢグリッド及び周波数オフセットに基づき、データ／制御チャネルに対応するＰＲＢグリッドを決定し得る。このようにして、データ／制御情報は、データ／制御チャネル上で正確に送信及び受信され得る。
【００１６】
実施において、第２ＰＲＢグリッドのサブキャリア間隔は、ＳＳのサブキャリア間隔と同じである。
【００１７】
実施において、ネットワークデバイスは、物理ブロードキャストチャネル（ＰＢＣＨ）を通じて第１指示情報を送信し、端末は、ＰＢＣＨを通じて第１指示情報を受信する。
【００１８】
実施において、第１指示情報は、周波数オフセット値を示すために使用され、このとき、第２ＰＲＢグリッドに対する第１ＰＲＢグリッドのオフセット方向は、予め定義されるか、又は第２指示情報を使用することによって示され、あるいは、第１指示情報は、周波数オフセット値と、第２ＰＲＢグリッドに対する第１ＰＲＢグリッドのオフセット方向とを示すために使用される。
【００１９】
実施において、データ／制御チャネル伝送のために、搬送波には、複数のサブキャリア間隔が存在してよい。異なったサブキャリア間隔に対応するＰＲＢグリッドを決定するために、上記の方法は、ネットワークデバイスによって、第２ＰＲＢグリッドと第３ＰＲＢグリッドとの間の第２周波数オフセットを示すために使用される第３指示情報を端末へ送信し、第３ＰＲＢグリッドのサブキャリア間隔はＳＳのサブキャリア間隔よりも大きい、ことと、端末によって第３指示情報を受信し、第２ＰＲＢグリッド及び第２周波数オフセットに基づき第３ＰＲＢグリッドを決定することとを更に含んでもよい。
【００２０】
実施において、ネットワークデバイスは、ＰＢＣＨを通じて第３指示情報を送信するか、又は剰余最小システム情報ＲＭＳＩを使用することによって第３指示情報を送信するか、又は無線リソース制御（ＲＲＣ）メッセージを使用することによって第３指示情報を送信する。相応して、端末は、ＰＢＣＨ、ＲＭＳＩ、又はＲＲＣメッセージを通じて第３指示情報を受信する。
【００２１】
このようにして、搬送波が複数のサブキャリア間隔をサポートする場合に、ＳＳを検出すると、端末は、ＳＳに基づき、ＳＳに使用されるＰＲＢグリッドを決定し得る。ＳＳのサブキャリア間隔がデータ／制御情報のサブキャリア間隔と同じであるときには、ネットワークデバイスが、第１指示情報に基づき、データ／制御情報に使用されるＰＲＢグリッドを決定してよく、あるいは、ＳＳのサブキャリア間隔がデータ／制御情報のサブキャリア間隔とは異なるときには、端末が、第２指示情報、及びＳＳのサブキャリア間隔と同じであるサブキャリア間隔に対応するＰＲＢグリッドに基づき、データ／制御情報に使用されるＰＲＢグリッドを決定してよい。従って、データ／制御情報は、複数のサブキャリア間隔をサポートする搬送波で正確に送信され得る。
【図面の簡単な説明】
【００２２】
【図１】本願の実施形態に従う通信システムの概略図である。
【図２】本願の実施形態に従う端末によって無線ネットワークに最初にアクセスする概略図である。
【図３】本願の実施形態に従う、ＳＳと、ＰＢＣＨと、ＳＳ及びＰＢＣＨが位置するＳＳブロックとの周波数領域概略図である。
【図４】本願の実施形態に従うＳＳの周波数領域概略図である。
【図５】本願の実施形態に従うＳＳラスタ及びＰＲＢグリッドの概略図である。
【図６】本願の実施形態に従う通信方法の概略図である。
【図７】本願の実施形態に従うある場合における第１ＰＲＢグリッド及び第２ＰＲＢグリッドの概略図である。
【図８】本願の実施形態に従う他の場合における第１ＰＲＢグリッド及び第２ＰＲＢグリッドの概略図である。
【図９】本願の実施形態に従う他の通信方法の概略図である。
【図１０】本願の実施形態に従う更なる他の通信方法の概略図である。
【図１１】本願の実施形態に従って複数のサブキャリア間隔に対応するＰＲＢグリッドの概略図である。
【図１２】本願の実施形態に従う他の通信方法の概略図である。
【図１３】本願の実施形態に従う他の通信方法の概略図である。
【図１４】本願の実施形態に従うＰＲＢグリッドの概略図である。
【図１５】本願の実施形態に従う端末によってネットワークに最初にアクセスする概略図である。
【図１６】本願の実施形態に従って広帯域搬送波で異なるＳＳを送信する概略図である。
【図１７】本願の実施形態に従って異なるＳＳを使用することによって異なる端末によって同じ搬送波にアクセスする概略図である。
【図１８】本願の実施形態に従う更なる他の通信方法の概略図である。
【図１９】本願の実施形態に従って異なるＳＳを使用することによって異なる端末によって同じ搬送波にアクセスする概略図である。
【図２０】本願の実施形態に従う他の通信方法の概略図である。
【図２１】本願の実施形態に従う他の通信方法の概略図である。
【図２２】本願の実施形態に従うネットワークデバイスの略構造図である。
【図２３】本願の実施形態に従う端末の略構造図である。
【図２４】本願の実施形態に従う更なる他の通信方法の概略図である。
【図２５】本願の実施形態に従うＰＲＢグリッドの概略図である。
【図２６】本願の実施形態に従う他のＰＲＢグリッドの概略図である。
【発明を実施するための形態】
【００２３】
当業者による容易な理解のために、以下は、本願の実施形態におけるいくつかの用語について記載する。
【００２４】
（１）端末は、ユーザ装置（user  equipment，ＵＥ）、移動局（mobile  station，ＭＳ）、モバイル端末（mobile  terminal，ＭＴ）、などとも呼ばれており、ユーザに音声／データ接続を提供するデバイス、例えば、無線接続機能を備えた携帯機器又は車載機器である。現在、端末のいくつかの例として、携帯電話機（mobile  phone）、タブレットコンピュータ、ノートブックコンピュータ、パームトップコンピュータ、モバイル・インターネット・デバイス（mobile  Internet  device，ＭＩＤ）、ウェアラブルデバイス、仮想現実（virtual  reality，ＶＲ）デバイス、拡張現実（augmented  reality，ＡＲ）デバイス、工業制御（industrial  control）における無線端末、自動運転（self  driving）における無線端末、遠隔診療（remote  medical  surgery）における無線端末、スマートグリッド（smart  grid）における無線端末、輸送安全性（transportation  safety）における無線端末、スマートシティ（smart  city）における無線端末、スマートホーム（smart  home）における無線端末、などがある。
【００２５】
（２）ネットワークデバイスは、端末に無線サービスを提供するデバイスであり、例えば、無線アクセスネットワーク（radio  access  network，ＲＡＮ）ノード（又はデバイス）を含む。ＲＡＮノード（又はデバイス）は、ネットワークにおいて、端末を無線ネットワークへ接続するノード（又はデバイス）である。現在、ＲＡＮノードのいくつかの例として、ｇＮＢ、送受信ポイント（transmission  reception  point，ＴＲＰ）、エボルブド・ノードＢ（evolved  Node  B，ｅＮＢ）、無線ネットワーク制御装置（radio  network  controller，ＲＮＣ）、ノードＢ（NodeB，ＮＢ）、基地局制御装置（base  station  controller，ＢＳＣ）、ベーストランシーバ局（base  transceiver  station，ＢＴＳ）、ホーム基地局（例えば、home  evolved  NodeB又はhome  NodeB，ＨＮＢ）、ベースバンド・ユニット（baseband  unit，ＢＢＵ）、又はＷｉ−Ｆｉアクセスポイント（access  point，ＡＰ）がある。その上、ネットワーク構造において、ＲＡＮは、中央集権型ユニット（centralized  unit，ＣＵ）ノード又は分散型ユニット（distributed  unit，ＤＵ）ノードを含む。この構造では、ＲＡＮ側での機能分割はＣＵ及びＤＵにおいて実装され、複数のＤＵが１つのＣＵによって中央制御される。この場合に、ＲＡＮノードは、ＣＵノード／ＤＵノードであってよい。ＣＵ及びＤＵの機能は、無線ネットワークのプロトコルレイヤに基づき分割されてよい。例えば、パケット・データ・コンバージェンス・プロトコル（packet  data  convergence  protocol，ＰＤＣＰ）レイヤの機能はＣＵに配置され、ＰＤＣＰレイヤの下にあるプロトコルレイヤ、例えば、無線リンク制御（radio  link  control，ＲＬＣ）レイヤ及び媒体アクセス制御（Media  Access  Control，ＭＡＣ）レイヤの機能はＤＵに配置される。プロトコルレイヤに基づく分割は単なる一例であり、プロトコルレイヤに基づく他の分割、例えば、ＲＬＣレイヤ及びＲＬＣレイヤの上にあるプロトコルレイヤの機能がＣＵに配置され、ＲＬＣレイヤの下にあるプロトコルレイヤの機能がＤＵに配置されるＲＣＬレイヤでの分割、又は特定のプロトコルレイヤにおける分割が存在してよく、例えば、ＲＬＣレイヤのいくつかの機能及びＲＬＣレイヤの上にあるプロトコルレイヤの機能はＣＵに配置され、ＲＬＣレイヤの残りの機能及びＲＬＣレイヤの下にあるプロトコルレイヤの機能はＤＵに配置される。その上、他の様態での分割、例えば、ＤＵにおいて遅延要件を満足する必要がある機能を配置し、ＣＵにおいて遅延要件に満たない機能を配置する遅延に基づく分割が存在してもよい。
【００２６】
（３）「複数の〜」は２以上を意味し、他の数量詞は同様である。文字「／」は、関連する物について記載する関連関係を言い表し、３つの関係が存在する可能性があることを表す。例えば、Ａ／Ｂは、次の３つの場合：Ａのみが存在する、Ａ及びＢの両方が存在する、及びＢのみが存在する、を表し得る。
【００２７】
図１は、本願の実施形態に従う通信システムの概略図である。図１に示されるように、端末１２０は、無線ネットワークを通じて外部ネットワーク（例えば、インターネット）によるサービスを享受するか又は無線ネットワークを通じて他の端末と通信するように、ネットワークデバイス１１０を通じて無線ネットワークにアクセスする。端末１２０が電源を入れられた後、端末は、無線ネットワークによるサービスを享受するために、かつ、データを送信及び受信するために、最初に無線ネットワークにアクセスする。以下は、図２を参照して記載される。図２は、本願の実施形態に従う端末によって無線ネットワークに最初にアクセスする概略図である。端末が電源を入れられた後、端末は最初に、セル探索、システム情報受信、ランダムアクセス、などのプロセスを経てから無線ネットワークにアクセスし、それから、データ送信（ＴＸ）及び受信（ＲＸ）を実行することができる。
【００２８】
セル探索中、端末は同期信号（synchronization  signal，ＳＳ）を検出し、ＳＳに基づき、端末がキャンプオンするセルを決定し、セルとのダウンリンク同期を達成する。ロング・ターム・エボリューション（Long  Term  Evolution，ＬＴＥ）通信システムでは、端末は、チャネルラスタ（channel  raster）の粒度でＳＳを検出する。チャネルラスタは全ての帯域（band）について１００ｋＨｚである。すなわち、搬送波の中心周波数は１００ｋＨｚの整数倍である。ＳＳは、プライマリ同期信号（primary  synchronization  signal，ＰＳＳ）及びセカンダリ同期信号（secondary  synchronization  signal，ＳＳＳ）を含む。周波数領域において、ＰＳＳ及びＳＳＳは、搬送波（すなわち、全システム帯域幅）の真ん中にある６つの物理リソースブロック（physical  resource  block，ＰＲＢ）、すなわち、搬送波の真ん中にある７２個のサブキャリアにマッピングされる。端末はこの場合にセルとのダウンリンク同期を未だ達成していないので、干渉を防ぐために、ＰＳＳ及びＳＳＳは、実際には、搬送波の真ん中にある６２個のサブキャリアにマッピングされ、６２個のサブキャリアの両側にある５つのサブキャリアは保護機能を果たす。ＳＳは搬送波の中央に位置することが知られ得る。すなわち、ＳＳの中心周波数は搬送波の中心周波数と一致する（又は同じである）。従って、ＳＳを検出した後、端末は搬送波の中心周波数を知ることができる。セル探索後、端末はセルとのダウンリンク同期を達成し、ネットワークデバイスによってセルを通じて送られるダウンリンク情報を受信することができる。例えば、ネットワークデバイスは、物理ブロードキャストチャネル（physical  broadcast  channel，ＰＢＣＨ）で搬送波の帯域幅（又はシステム帯域幅と呼ばれる。）情報をブロードキャストする。端末は、搬送波の帯域幅情報を受信し、搬送波の帯域幅情報に基づき搬送波帯域幅を決定する。このようにして、端末は、ＳＳを検出した後に搬送波の中心周波数を取得し、ＰＢＣＨを探索した後に搬送波帯域幅を取得し、それから、搬送波の中心周波数及び搬送波帯域幅に基づき搬送波の物理リソースブロック（physical  resource  block，ＰＲＢ）のグリッド（grid）を決定することができる。
【００２９】
ニュー・ラジオ（New  Radio，ＮＲ）通信システムとも呼ばれる第５世代（５Ｇ）モバイル通信システムでは、端末は最初に、やはりセル探索、システム情報受信、ランダムアクセス、などのプロセスを経てから無線ネットワークにアクセスする。ＮＲ通信システムでは、同期信号ブロック（synchronization、signal  block，SS  block）の概念が導入される。ＳＳブロックはＳＳ及び物理ブロードキャストチャネル（physical  broadcast  channel，ＰＢＣＨ）を含み、このとき、ＳＳはＰＳＳ及びＳＳＳを含む。図３は、本願の実施形態に従う、ＳＳと、ＰＢＣＨと、ＳＳ及びＰＢＣＨが位置するＳＳブロックとの周波数領域概略図である。図３に示されるように、ＳＳブロックは、周波数領域で２４個のＰＲＢ、すなわち、２８８個のサブキャリアを占有する。周波数領域におけるＳＳ及びＰＢＣＨの中心位置は、周波数領域におけるＳＳブロックの中心位置である。すなわち、ＳＳ及びＰＢＣＨの中心周波数は、ＳＳブロックの中心周波数と整列されるか又は一致する。ＳＳは１２個のＰＲＢ、すなわち、１４４個のサブキャリアを占有し、ＰＢＣＨは２４個のＰＲＢ、すなわち、２８８個のサブキャリアを占有する。すなわち、ＳＳは１２個のＰＲＢにマッピングされ、ＰＢＣＨは２４個のＰＲＢにマッピングされる。
【００３０】
図４は、本願の実施形態に従うＳＳの周波数領域概略図である。図４に示されるように、ＳＳは、ＳＳブロックの７番目のＰＲＢから１８番目のＰＲＢにマッピングされ、１２個のＰＲＢは、０から１４３の番号を付された１４４個のサブキャリアを含み、このとき、ＳＳシーケンスは、８から１３４の番号を付されたサブキャリアにマッピングされる。保護機能を果たすために、最初の８つのサブキャリアと最後の９つのサブキャリアにはデータはマッピングされない。
【００３１】
ネットワークデバイスは、ＳＳラスタ（SS  raster）に基づきＳＳブロックを送信する。すなわち、ＳＳは、ＳＳラスタの位置でしか送信され得ず、情報はＰＢＣＨで送信される。端末は、ＳＳラスタに基づきＳＳをブラインド検出する、すなわち、ＳＳラスタの位置でＳＳを検出する。ＳＳを検出した後、端末は、ＳＳの中心周波数を知ることができ、それから、ＳＳの中心周波数を中心とする２４個のＰＲＢ上のＰＢＣＨで情報を受信する。ＳＳラスタは、周波数領域におけるＳＳのとり得る位置で形成されるラスタである。ＳＳがＳＳラスタの位置で送信される場合に、ＳＳの中心周波数はこの位置にある。その後に、ネットワークデバイス１１０が時間領域においてＳＳを周期的に送信する場合に、周波数領域におけるＳＳの位置は変化しない。ＳＳを検出すると、端末は、ＳＳの中心周波数及びＳＳのサブキャリア間隔に基づき、ＳＳに対応するＰＲＢグリッドを決定してよく、このとき、ＳＳのサブキャリア間隔は、ＳＳ送信／受信に使用されるサブキャリア間隔である。なお、ネットワークデバイスがデータ／制御情報を送信するときに使用されるＰＲＢグリッドは、搬送波の中心周波数を中心とし、ＰＲＢグリッドのサイズは、データ／制御情報のサブキャリア間隔に基づき決定され、このとき、データ／制御情報のサブキャリア間隔は、データ／制御情報送信／受信に使用されるサブキャリア間隔である。端末がＳＳに対応するＰＲＢグリッドに基づき依然としてデータ／制御情報送信／受信を実行する場合には、ＳＳに対応するＰＲＢグリッドは、ネットワークデバイスによって使用されるＰＲＢグリッドとおそらくは不一致であるから、ＰＲＢリソースは誤って解釈され、データは正確に送信又は受信され得ない。
【００３２】
上記の問題は、チャネルラスタが１００ｋＨｚであり、ＳＳラスタが１８０ｋＨｚであり、ＳＳのサブキャリア間隔が１５ｋＨｚであるところの例を使用することによって、図５を参照して以下で記載される。図５は、本願の実施形態に従うＳＳラスタ及びＰＲＢグリッドの概略図である。図５の下部での２つの隣接した縦線の間の距離は、ＳＳラスタのサイズ、すなわち、１８０ｋＨｚを表し、図５の上部での２つの隣接した縦線の間の距離は、チャネルラスタのサイズ、すなわち、１００ｋＨｚを表す。２つの真ん中のＰＲＢグリッドは夫々、搬送波上のデータ／制御チャネルに対応するＰＲＢグリッドと、ＳＳに対応するＰＲＢグリッドとである。ここで、搬送波上のデータ／制御チャネルのサブキャリア間隔がＳＳのサブキャリア間隔と同じであるとすれば、ＰＲＢのサイズは同じである。ネットワークデバイスが位置５１０でＳＳを送信するとすれば、端末は、ＳＳラスタに基づきブラインド検出を実行し、位置５１０でＳＳを検出する。Ｎが負ではない整数であるとして、位置５１０は１８０×ＮｋＨｚであると考えられる。搬送波の中心周波数は、搬送波の中心に位置し、チャネルラスタの整数倍である。搬送波のＰＲＢの数量が偶数であるとき、搬送波の中心周波数は、２つのＰＲＢの間に、すなわち、２つのＰＲＢの交差部に位置する。搬送波のＰＲＢの数量が奇数であるとき、搬送波の中心周波数は、中間のＰＲＢの中心に位置する。搬送波の中心周波数が１００×ＭｋＨｚであるとすれば、搬送波の中心周波数と位置５１０との間のオフセット値は、｜１８０×ＮｋＨｚ−１００×ＭｋＨｚ｜であり、このとき、“｜｜”は絶対値の取得を示す。ＳＳのサブキャリア間隔が１５ｋＨｚである場合に、ＳＳに対応するＰＲＢのサイズは１５×１２ｋＨｚ、すなわち、１８０ｋＨｚであり、データ／制御チャネルに対応するＰＲＢのサイズも１８０ｋＨｚである。この場合に、ＳＳに対応するＰＲＢグリッドは、データ／制御チャネルに対応するＰＲＢグリッドと整列され得ない。端末がＳＳに対応するＰＲＢグリッドに基づきデータを受信又は送信する場合に、リソースが誤って解釈され、データが正確に受信又は送信され得ず、通信品質劣化を引き起こすという問題が存在する可能性がある。
【００３３】
上記の問題を鑑みて、以下の実施形態は、ＰＲＢグリッドを決定することにおける課題に対処するために、いくつかの解決法を提供する。
【００３４】
解決法において、ネットワークデバイスは、端末に対して、ＳＳに対応するＰＲＢグリッドとデータ／制御チャネルに対応するＰＲＢグリッドとの間の周波数オフセットを示す。従って、ＳＳを検出すると、端末は、ＳＳに対応するＰＲＢグリッド及び周波数オフセットに基づき、データ／制御チャネルに対応するＰＲＢグリッドを決定することができる。このようにして、データ／制御情報は、データ／制御チャネルで正確に送信及び受信され得る。この解決法では、ＳＳに対応するＰＲＢ及びデータ／制御チャネルに対応するＰＲＢは、同じサブキャリア間隔を有していると考えられる。
【００３５】
データ／制御チャネル伝送のために、搬送波には、複数のサブキャリア間隔が存在してよい。データ／制御チャネル伝送に使用されるサブキャリア間隔がＳＳのサブキャリア間隔と同じであるとき、この場合に搬送波に使用されるＰＲＢグリッドはＰＲＢグリッドＧ１であると仮定され、あるいは、データ／制御チャネル伝送のサブキャリア間隔がＳＳのサブキャリア間隔とは異なるとき、この場合に搬送波に使用されるＰＲＢグリッドはＰＲＢグリッドＧ２であると仮定される。ＰＲＢグリッドＧ１は、データ／制御チャネルでデータ／制御情報を送信及び受信するために、上記の解決法を使用することによって取得され得る。データ／制御チャネル伝送に使用されるサブキャリア間隔がＳＳのサブキャリア間隔よりも大きいとき、ネットワークデバイスは、端末に対して、ＰＲＢグリッドＧ２とＰＲＢグリッドＧ１との間の周波数オフセットを示し得る。従って、端末は、上記の方法を使用することによってＰＲＢグリッドＧ１を取得し、それからＰＲＢグリッドＧ２を取得して、データ／制御チャネルでデータ／制御情報を送信及び受信することができる。代替的に、ネットワークデバイスは、端末に対して、ＰＲＢグリッドＧ２の境界とＳＳの中心周波数との間の周波数オフセットを示し得る。従って、端末は、ＳＳの中心周波数及び周波数オフセットに基づきＰＲＢグリッドＧ２を決定して、データ／制御チャネルでデータ／制御情報を送信及び受信することができる。データ／制御チャネル伝送に使用されるサブキャリア間隔がＳＳのサブキャリア間隔よりも小さいとき、異なるサブキャリア間隔に対応するＰＲＢグリッド間には入れ子関係が存在するので、ＰＲＢグリッドＧ２は、データ／制御チャネルでデータ／制御情報を送信及び受信するために、ＰＲＢグリッドＧ１と、データ／制御チャネル伝送に使用されるサブキャリア間隔とに基づき、直接に取得され得る。
【００３６】
本願の実施形態において、周波数オフセットは絶対値であり、ＡとＢとの間の周波数オフセットは、Ｂに対するＡの周波数オフセットの絶対値であっても、あるいは、Ａに対するＢの周波数オフセットの絶対値であってもよい。その上、本願の実施形態において、ＰＲＢグリッドは、ＰＲＢグリッド構造と理解されてもよい。
【００３７】
以下は、添付の図面を参照して記載される。
【００３８】
図６は、本願の実施形態に従う通信方法の概略図である。図６に示されるように、方法は、次のステップを含む。
【００３９】
Ｓ６１０．ネットワークデバイスはＳＳを端末へ送る。
【００４０】
Ｓ６２０．端末はＳＳを検出する。
【００４１】
Ｓ６３０．ＳＳが検出されると、端末は、ＳＳに基づき第１ＰＲＢグリッド（ＰＲＢグリッドＧ０）を決定する。すなわち、ネットワークデバイスからＳＳを受信すると、端末は、ＳＳに基づき第１ＰＲＢグリッド（ＰＲＢグリッドＧ０）を決定する。
【００４２】
Ｓ６４０．ネットワークデバイスは、第１ＰＲＢグリッド（ＰＲＢグリッドＧ０）と第２ＰＲＢグリッド（ＰＲＢグリッドＧ１）との間の周波数オフセットＦ１を示すために使用される指示情報Ｉ１を端末へ送る。
【００４３】
Ｓ６５０．端末は、第１ＰＲＢグリッド（ＰＲＢグリッドＧ０）及び周波数オフセットＦ１に基づき、第２ＰＲＢグリッド（ＰＲＢグリッドＧ１）を決定する。
【００４４】
第２ＰＲＢグリッド（ＰＲＢグリッドＧ１）が決定された後、ネットワークデバイスが、第２ＰＲＢグリッド（ＰＲＢグリッドＧ１）に対応するサブキャリア間隔を使用することによって搬送波でデータ／制御情報伝送を実行するか、あるいは、ネットワークデバイスが第２ＰＲＢグリッド（ＰＲＢグリッドＧ１）に基づき端末へリソースを割り当てる場合に、端末とネットワークデバイスとの間で、第２ＰＲＢグリッド（ＰＲＢグリッドＧ１）に基づき（Ｓ６６０において）データ／制御情報伝送が実行され得る。
【００４５】
第１ＰＲＢグリッド（ＰＲＢグリッドＧ０）は、ＳＳ（又はＳＳブロック）に使用されるＰＲＢグリッド（ＰＲＢグリッドＧ０）と呼ばれてもよく、第２ＰＲＢグリッドは、搬送波に使用されるＰＲＢグリッド（ＰＲＢグリッドＧ１）と呼ばれてもよい。第１ＰＲＢグリッドは、周波数領域においてＳＳ（又はＳＳブロック）のサブキャリア間隔に対応するＰＲＢグリッドである。第２ＰＲＢグリッドは、周波数領域において搬送波上の物理チャネル情報／物理信号のサブキャリア間隔に対応するＰＲＢグリッドであってよい。ここでの物理チャネルは、ＰＢＣＨ以外の物理チャネルである。例えば、物理チャネルは、アップリンク／ダウンリンク制御チャネル、アップリンク／ダウンリンク共有チャネル（データチャネルとも呼ばれる。）、及びランダムアクセスチャネルのうちの少なくとも１つを含む。物理チャネル情報は、物理チャネルで運ばれる情報である。物理信号は、ＳＳ以外の物理信号である。例えば、物理信号はリファレンス信号を含む。上記の説明では、データ／制御チャネルが一例として使用されており、ランダムアクセスチャネル又は物理信号はそれと同様である。
【００４６】
上記のステップＳ６１０で、ネットワークデバイスは、ＳＳラスタの位置でＳＳを送り、ＳＳの中心周波数は、その位置にある。なお、端末は、ネットワークデバイスがＳＳを送る位置を知らない。従って、上記のステップＳ６２０で、端末は、ＳＳラスタに基づきブラインド検出を実行する。ＳＳがＳＳラスタの第１の位置で検出されるとき、ネットワークデバイスがＳＳを送る位置が第１の位置、すなわち、ＳＳの中心周波数であることが決定され得る。その上、ネットワークデバイスは、同時に、Ｓ６１０において、ＰＢＣＨで情報をブロードキャストすることができる。Ｓ６２０でＳＳを検出すると、端末は、ＳＳの中心周波数を決定してよく、また、ＳＳの中心周波数と一致するＰＢＣＨの中心周波数も決定してよく、それから、ＰＢＣＨの周波数領域位置を決定し、それによってネットワークデバイスによってブロードキャストされる情報をＰＢＣＨで受信し得る。
【００４７】
上記のステップＳ６３０で、端末は、ＳＳラスタの第１の位置（すなわち、ＳＳの中心周波数）及びＳＳのサブキャリア間隔に基づき、第１ＰＲＢグリッドを決定する。第１ＰＲＢグリッドの境界は第１の位置にあり、第１ＰＲＢグリッドにおけるＰＲＢのサイズは、ＳＳのサブキャリア間隔とＰＲＢにおけるサブキャリアの数量（例えば、１２）との積である。例えば、図５に示されるように、端末が位置５１０でＳＳを検出するとき、第１ＰＲＢグリッドの境界は位置５１０にある。ＳＳのサブキャリア間隔のサイズが１５ｋＨｚである場合に、ＰＲＢのサイズは１８０ｋＨｚである。このようにして、図５の下部でのＰＲＢグリッド、すなわち、第１ＰＲＢグリッドは取得され得る。
【００４８】
上記のステップＳ６４０で、ネットワークデバイスは、ＰＢＣＨを通じて端末へ指示情報Ｉ１を送ってよい。例えば、ネットワークデバイスは、ＰＢＣＨでマスタ情報ブロック（master  information  block，ＭＩＢ）をブロードキャストし、ＭＩＢが指示情報Ｉ１を運ぶ。端末は、ＰＢＣＨの周波数領域位置を決定し、このとき、ＰＢＣＨの中心周波数はＳＳの中心周波数であり、ＰＢＣＨは中心周波数の両側で２４個のＰＲＢにマッピングされ、そして、ＰＢＣＨで、ネットワークデバイスによってブロードキャストされた指示情報Ｉ１を受信する。指示情報Ｉ１は、周波数オフセットＦ１であっても、あるいは、周波数オフセットＦ１の指示情報であってもよい。例えば、指示情報Ｉ１は１ビット情報であってよい。指示情報Ｉ１が“０”であるとき、それは、周波数オフセットＦ１が０であることを示す。すなわち、周波数オフセットは存在しない。第１ＰＲＢグリッドは第２ＰＲＢグリッドと整列される。この場合に、第１ＰＲＢグリッドが決定されると、第２ＰＲＢグリッドが決定される。他の例として、指示情報Ｉ１が“１”であるとき、それは、周波数オフセットＦ１がＰＲＢの半分であることを示す。この場合に、ステップＳ６５０で、第１ＰＲＢグリッドは、第２ＰＲＢグリッドを得るようにＰＲＢの半分だけオフセットされ得る。
【００４９】
上記のステップＳ６５０で、端末は、第２ＰＲＢグリッドを取得するように、指示情報Ｉ１で示される周波数オフセットＦ１に基づき、周波数領域で第１ＰＲＢグリッドを移動させる。
【００５０】
第２ＰＲＢグリッドが取得されると、アップリンク伝送／ダウンリンク伝送を含むデータ／制御情報伝送が、端末とネットワークデバイスとの間で、第２ＰＲＢグリッドに対応するサブキャリア間隔に基づき実行され得る。この場合に、ＰＲＢの境界は第２ＰＲＢグリッドと整列される。すなわち、ネットワークデバイスは、第２ＰＲＢグリッドに基づき、第２ＰＲＢグリッドに対応するサブキャリア間隔のＰＲＢの周波数領域位置を決定し、それによって端末へリソースを割り当て得る。端末は、割り当てられたリソースでデータ／制御情報を受信するか、あるいは、割り当てられたリソースでデータ／制御情報を送信する。この場合に、ネットワークデバイス及び端末は、ＰＲＢグリッドの一致した理解を有しており、それによって、リソースの正確な解釈と、データ／制御情報の正確な送信及び受信とを確かにする。
【００５１】
第１ＰＲＢグリッドのＰＲＢ境界は、ＳＳの中心周波数と整列される。搬送波におけるＰＲＢの数量が偶数であるとき、第２ＰＲＢグリッドのＰＲＢ境界は、搬送波の中心周波数と整列される。この場合に、ＳＳラスタがチャネルラスタの整数倍であるならば、第１ＰＲＢグリッドは第２ＰＲＢグリッドと整列される。搬送波におけるＰＲＢの数量が奇数であるとき、搬送波の中心周波数は、第２ＰＲＢグリッドにおける１つのＰＲＢの中心と整列される。この場合に、搬送波の中心周波数とＳＳの中心周波数との間のオフセットがＰＲＢの半分の整数倍であるならば、第１ＰＲＢグリッドは第２ＰＲＢグリッドと整列される。
【００５２】
いくつかの場合が、以下で別々に記載される。
【００５３】
場合１：ＳＳラスタのサイズが３６０ｋＨｚであり、チャネルラスタのサイズが１８０ｋＨｚであり、ＳＳのサブキャリア間隔が３０ｋＨｚであると仮定される。
【００５４】
ＳＳの中心周波数の位置は３６０×ｎｋＨｚであり、搬送波の中心周波数の位置は１８０×ｍｋＨｚであり、３０ｋＨｚのサブキャリア間隔に対応するＰＲＢのサイズは３６０ｋＨｚである。搬送波の中心周波数とＳＳの中心周波数との間の周波数オフセットは、｜３６０×ｎ−１８０×ｍ｜ｋＨｚ、すなわち、１８０×｜２ｎ−ｍ｜ｋＨｚである。｜２ｎ−ｍ｜＝ｋが仮定される。その場合に、搬送波の中心周波数とＳＳの中心周波数との間の周波数オフセットは、１８０×ｋｋＨｚであり、このとき、ｍ、ｎ、及びｋは全て、負ではない整数であり、“｜｜”は、絶対値の取得を表す。
【００５５】
図７（１）を参照されたい。搬送波における３０ｋＨｚのサブキャリア間隔でのＰＲＢの数量が偶数であるとき、搬送波の中心周波数は、第２ＰＲＢグリッドの境界にある。この場合に、ｍは偶数であり、｜２ｎ−ｍ｜は偶数である。すなわち、ｋは偶数である。搬送波の中心周波数とＳＳの中心周波数との間の周波数オフセットは、１８０×ｋｋＨｚであり、これは、ＰＲＢサイズ（３６０ｋＨｚ）の整数倍である。この場合に、第１ＰＲＢグリッドは、第２ＰＲＢグリッドと整列される。
【００５６】
図７（２）を参照されたい。搬送波における３０ｋＨｚのサブキャリア間隔でのＰＲＢの数量が奇数であるとき、搬送波の中心周波数は、第２ＰＲＢグリッドの中心に、すなわち、中間のＰＲＢの中心にある。この場合に、ｍは奇数であり、｜２ｎ−ｍ｜は奇数である。すなわち、ｋは奇数である。搬送波の中心周波数とＳＳの中心周波数との間の周波数オフセットは、１／２ＰＲＢの残余、すなわち、ＰＲＢサイズの半分を加えたＰＲＢサイズ（３６０ｋＨｚ）の整数倍である１８０×ｋｋＨｚである。この場合に、第１ＰＲＢグリッドは、第２ＰＲＢグリッドと整列される。
【００５７】
従って、搬送波における３０ｋＨｚのサブキャリア間隔でのＰＲＢの数量が奇数又は偶数であるかどうかにかかわらず、第１ＰＲＢグリッドは第２ＰＲＢグリッドと整列され得る。従って、この場合における指示情報Ｉ１は、周波数オフセットＦ１が０であることを示し得る。例えば、指示情報Ｉ１が“０”であるとき、それは、周波数オフセットＦ１が０であることを示す。
【００５８】
場合２：ＳＳラスタのサイズが３６０ｋＨｚであり、チャネルラスタのサイズが１８０ｋＨｚであり、ＳＳのサブキャリア間隔が１５ｋＨｚであると仮定される。
【００５９】
ＳＳの中心周波数の位置は３６０×ｎｋＨｚであり、搬送波の中心周波数の位置は１８０×ｍｋＨｚであり、１５ｋＨｚのサブキャリア間隔に対応するＰＲＢのサイズは１８０ｋＨｚである。搬送波の中心周波数とＳＳの中心周波数との間の周波数オフセットは、｜３６０×ｎ−１８０×ｍ｜ｋＨｚ、すなわち、１８０×｜２ｎ−ｍ｜ｋＨｚである。｜２ｎ−ｍ｜＝ｋが仮定される。その場合に、搬送波の中心周波数とＳＳの中心周波数との間の周波数オフセットは、１８０×ｋｋＨｚであり、このとき、ｍ、ｎ、及びｋは全て、負ではない整数であり、“｜｜”は、絶対値の取得を表す。
【００６０】
図８（１）を参照されたい。搬送波における１５ｋＨｚのサブキャリア間隔でのＰＲＢの数量が偶数であるとき、搬送波の中心周波数は、第２ＰＲＢグリッドの境界にある。この場合に、ｍは偶数であり、｜２ｎ−ｍ｜は偶数である。すなわち、ｋは偶数である。搬送波の中心周波数とＳＳの中心周波数との間の周波数オフセットは、ＰＲＢサイズ（１８０ｋＨｚ）の整数倍である１８０×ｋｋＨｚである。この場合に、第１ＰＲＢグリッドは、第２ＰＲＢグリッドと整列される。
【００６１】
図８（２）を参照されたい。搬送波における１５ｋＨｚのサブキャリア間隔でのＰＲＢの数量が奇数であるとき、搬送波の中心周波数は、第２ＰＲＢグリッドの中心に、すなわち、中間のＰＲＢの中心にある。この場合に、ｍは奇数であり、｜２ｎ−ｍ｜は奇数である。すなわち、ｋは奇数である。搬送波の中心周波数とＳＳの中心周波数との間の周波数オフセットは、ＰＲＢサイズ（１８０ｋＨｚ）の整数倍である１８０×ｋｋＨｚである。この場合に、第１ＰＲＢグリッド及び第２ＰＲＢグリッドはお互いと整列されず、それらの間には、ＰＲＢの半分のオフセットが存在する。
【００６２】
この場合に、１ビット指示情報Ｉ１が、第１ＰＲＢグリッドと第２ＰＲＢグリッドとの間の周波数オフセットＦ１を示すために使用されてよい。指示情報が“０”であるとき、それは、第１ＰＲＢグリッドと第２ＰＲＢグリッドとの間の周波数オフセットＦ１が０であることを示す。すなわち、第１ＰＲＢグリッドは第２ＰＲＢグリッドと整列される。指示情報が“１”であるとき、それは、第１ＰＲＢグリッドと第２ＰＲＢグリッドとの間の周波数オフセットＦ１がＰＲＢの半分であることを示す。すなわち、位置関係に関して、第１ＰＲＢグリッドと第２ＰＲＢグリッドとの間には、ＰＲＢの半分のオフセットが存在する。確かに、“０”によって示される内容と、“１”によって示される内容とは、逆にされてもよく、これは、本願において制限されない。
【００６３】
場合３：ＳＳラスタのサイズが１８０ｋＨｚであり、チャネルラスタのサイズが１００ｋＨｚであり、ＳＳのサブキャリア間隔が１５ｋＨｚであると仮定される。
【００６４】
ＳＳの中心周波数の位置は１８０×ｎｋＨｚであり、搬送波の中心周波数の位置は１００×ｍｋＨｚであり、１５ｋＨｚのサブキャリア間隔に対応するＰＲＢのサイズは１８０ｋＨｚである。搬送波の中心周波数とＳＳの中心周波数との間の周波数オフセットは、｜１８０×ｎ−１００×ｍ｜ｋＨｚであり、このとき、ｍ及びｎは両方とも負ではない整数であり、“｜｜”は、絶対値の取得を表す。この場合に、搬送波の中心周波数とＳＳの中心周波数との間の周波数オフセットは、ｍ及びｎの値に応じて変化する。従って、第１ＰＲＢグリッドと第２ＰＲＢグリッドとの間の周波数オフセットＦ１には複数の可能性がある。
【００６５】
実施において、指示情報は、第１ＰＲＢグリッドと第２ＰＲＢグリッドとの間の周波数オフセットＦ１を直接示すために使用されてよい。他の実施では、オフセット集合が予め定義される。オフセット集合は、第１ＰＲＢグリッドと第２ＰＲＢグリッドとの間の周波数オフセットの全てのとり得る値を含む。この例で、オフセット集合は、｛０，１０，２０，３０，４０，６０，７０，８０，９０，１００，１１０，１２０，１３０，１４０，１６０，１７０｝ｋＨｚであってよく、全部で１６の値がある。この場合に、４ビット指示情報Ｉ１が、オフセット集合の値を示すために使用されてよい。端末及びネットワークデバイスは、指示情報Ｉ１によって示される内容の一致した理解を有している。その上、１ビット指示情報又は１つのインジケータビットが更に、オフセット方向を示すために使用される。
【００６６】
更には、第１ＰＲＢグリッドと第２ＰＲＢグリッドとの間の周波数オフセットは、異なったオフセット方向に応じて変化する。従って、実施において、高周波方向でのオフセット又は低周波方向でのオフセットが予め定義されてもよい。すなわち、オフセット方向は予め定義される。ネットワークデバイス及び端末は、オフセット方向の一致した理解を有している。他の実施では、オフセット方向を示すために、指示情報に対して、他の指示情報Ｉ２が加えられるか、あるいは、１ビットが加えられる。例えば、“０”は、低周波方向でオフセットすることを示すために使用され、“１”は、高周波方向でオフセットすることを示すために使用される。確かに、“０”によって示される内容と、“１”によって示される内容とは、逆にされてもよく、これは、本願において制限されない。
【００６７】
搬送波の中心周波数とＳＳの中心周波数との間の周波数オフセットがＰＲＢのサイズの１／２の整数倍でないとき、場合３の方法が、第１ＰＲＢグリッドと第２ＰＲＢグリッドとの間の周波数オフセットＦ１を示すために使用されてよい。
【００６８】
例えば、ＳＳラスタのサイズは１８０ｋＨｚであり、チャネルラスタのサイズは１００ｋＨｚであり、ＳＳのサブキャリア間隔は１５ｋＨｚである。オフセット方向が低周波方向でオフセットすることであるとき、オフセット集合は｛０，１０，２０，３０，４０，６０，８０，９０，１００，１１０，１２０，１３０，１４０，１６０｝ｋＨｚであってよく、あるいは、オフセット方向が高周波方向でオフセットすることであるとき、オフセット集合は、｛０，２０，４０，６０，７０，８０，９０，１００，１２０，１４０１６０，１７０｝ｋＨｚであってよい。
【００６９】
場合４：ＳＳラスタのサイズが１００ｋＨｚであり、チャネルラスタのサイズが１００ｋＨｚであり、ＳＳのサブキャリア間隔が１５ｋＨｚであると仮定される。
【００７０】
ＳＳの中心周波数の位置は１００×ｎｋＨｚであり、搬送波の中心周波数の位置は１００×ｍｋＨｚであり、１５ｋＨｚのサブキャリア間隔に対応するＰＲＢのサイズは１８０ｋＨｚである。搬送波の中心周波数とＳＳの中心周波数との間の周波数オフセットは、｜１００×ｎ−１００×ｍ｜ｋＨｚであり、このとき、ｍ及びｎは両方とも負ではない整数であり、“｜｜”は、絶対値の取得を表す。この場合に、ＳＳラスタはチャネルラスタと整列されると考えられ得る。
【００７１】
搬送波における１５ｋＨｚのサブキャリア間隔でのＰＲＢの数量が偶数であるとき、第１ＰＲＢグリッドは第２ＰＲＢグリッドと整列される。搬送波における１５ｋＨｚのサブキャリア間隔でのＰＲＢの数量が奇数であるとき、第１ＰＲＢグリッドと第２ＰＲＢグリッドとの間には、１０ｋＨｚ又は９０ｋＨｚのオフセットが存在する。この場合に、オフセット方向は、高周波方向でオフセットすること又は低周波方向でオフセットすることとして予め定義されてよい。第１ＰＲＢグリッドと第２ＰＲＢグリッドとの間の周波数オフセットＦ１を示すために、１ビット指示情報Ｉ１が使用される。１つの値は、周波数オフセットが０であることを示し、すなわち、オフセットは存在しない。他の値は、１０ｋＨｚ又は９０ｋＨｚのオフセットを示す。代替的に、周波数オフセット値及びオフセット方向を示すために、２ビット指示情報Ｉ１が使用されてもよい。例えば、“００”は、周波数オフセットが０であることを示し、すなわち、オフセットは存在しない。“０１”は、第２ＰＲＢグリッドを得るように、第１ＰＲＢグリッドが低周波方向で１０ｋＨｚだけオフセットされる（又は高周波方向で９０ｋＨｚだけオフセットされる）ことを示す。“１０”は、第２ＰＲＢグリッドを得るように、第１ＰＲＢグリッドが高周波方向で１０ｋＨだけオフセットされる（又は低周波方向で９０ｋＨｚだけオフセットされる）ことを示す。
【００７２】
同様に、ＳＳラスタのサイズが１００ｋＨｚであり、チャネルラスタのサイズが１００ｋＨｚであり、ＳＳのサブキャリア間隔が３０ｋＨｚであるとき、かつ、搬送波における３０ｋＨｚのサブキャリア間隔でのＰＲＢの数量が偶数であるとき、第１ＰＲＢグリッドは第２ＰＲＢグリッドと整列され、あるいは、搬送波における３０ｋＨｚのサブキャリア間隔でのＰＲＢの数量が奇数であるとき、第１ＰＲＢグリッドと第２ＰＲＢグリッドとの間には、２０ｋＨｚ又は８０ｋＨｚのオフセットが存在する。指示方法は、上記の説明で見られたものと同じであり、詳細は、ここで再びは記載されない。
【００７３】
場合５：この場合は、高周波通信システム、すなわち、搬送波の周波数が６ＧＨｚよりも高い通信システムに適用される。
【００７４】
例えば、ＳＳラスタのサイズは２８８０ｋＨｚであり、チャネルラスタのサイズは７２０ｋＨｚであり、ＳＳのサブキャリア間隔は１２０ｋＨｚである。この場合に、搬送波における１２０ｋＨｚＰＲＢの数量が奇数又は偶数であるかどうかにかかわらず、チャネルラスタとＳＳラスタとの間のオフセット値は７２０×ｋである。従って、第１ＰＲＢグリッドが第２ＰＲＢグリッドと整列されることが確かにされ得、指示情報Ｉ１は、高周波通信システムではＰＢＣＨでブロードキャストされなくてもよい。
【００７５】
他の例として、ＳＳラスタのサイズは１１５２０ｋＨｚであり、チャネルラスタのサイズは７２０ｋＨｚであり、ＳＳのサブキャリア間隔は２４０ｋＨｚである。この場合に、搬送波における２４０ｋＨｚＰＲＢの数量が奇数又は偶数であるかどうかにかかわらず、チャネルラスタとＳＳラスタとの間のオフセット値は７２０×ｋである。高周波通信システムでは、ＳＳラスタはチャネルラスタの整数倍であることが知られ得る。従って、第１ＰＲＢグリッドが第２ＰＲＢグリッドと整列されることが確かにされ得、指示情報Ｉ１は、高周波通信システムではＰＢＣＨでブロードキャストされなくてもよい。
【００７６】
上記の場合において、ＳＳラスタのサイズ、チャネルラスタのサイズ、及びＳＳのサブキャリア間隔は、搬送波の周波数に基づき決定され、例えば、搬送波が位置する周波数帯域に基づき決定されてよい。例えば、１．８ＧＨｚ搬送波周波数帯域は、場合２をサポートする。この周波数帯域において、第１ＰＲＢグリッドと第２ＰＲＢグリッドとの間の関係は、指示情報Ｉ１を使用することによって示される。他の例として、３．５ＧＨｚ搬送波周波数帯域は、場合１をサポートする。この周波数帯域において、２つのＰＲＢの間の関係は示されなくてもよく、あるいは、０の周波数オフセットが示され、端末は、デフォルトで、第１ＰＲＢグリッドが第２ＰＲＢグリッドと整列されると考える。詳細については、以下の表１を参照されたい。
【表１】
2020530743.tif 000003
【００７７】
場合１及び場合５について、周波数オフセットが０であることを指示情報が示す場合に加えて、指示情報Ｉ１は送信されなくてもよい。例えば、高周波通信システムにおいて、指示情報Ｉ１は、デフォルトで送信されなくてもよい。端末は、ＳＳ（又はＳＳブロック）に使用されるＰＲＢグリッドが搬送波に使用されるＰＲＢグリッドと同じである（又は一致する）と仮定する（又はデフォルトで見なす）。
【００７８】
上記の表中、異なった周波数範囲でのＳＳ、ＳＳラスタ、及びチャネルラスタのサブキャリア間隔の１以上の組み合わせが選択されてよく、これは本願において制限されない。
【００７９】
本願の他の解決法では、端末は、ＳＳ（又はＳＳブロック）に使用されるＰＲＢグリッド（の構造）が搬送波に使用されるＰＲＢグリッド（の構造）と同じである（又は一致する）と仮定する（又はデフォルトで見なす）。この場合に、端末は、データ／制御チャネルでデータ／制御情報を正確に送信又は受信するために、ＳＳ（又はＳＳブロック）に使用されるＰＲＢグリッドが搬送波に使用されるＰＲＢグリッドであるとデフォルトで見なす。この場合に、ネットワークデバイスは、搬送波の周波数に基づきＳＳラスタのサイズＸ、サブキャリア間隔のサイズＹ、及びチャネルラスタのサイズＺを決定してよく、それにより、Ｘ＝Ｚ×Ｍ１及びＹ×１２＝Ｚ×Ｎ１となり、このとき、Ｍ１及びＮ１は２以上の整数である。上記の式が満足されるので、ＳＳ（又はＳＳブロック）に使用されるＰＲＢグリッド（の構造）は、搬送波に使用されるＰＲＢグリッド（の構造）と同じであり（又は一致し）、これは端末の仮定と一致する。従って、端末は、データ／制御チャネルでデータ／制御情報を正確に送信及び受信することができる。
【００８０】
図９は、本願の実施形態に従う他の通信方法の概略図である。方法において、端末は、ＳＳに使用されるＰＲＢグリッドが搬送波に使用されるＰＲＢグリッドと同じであるか又は整列されるとデフォルトで考える。図９に示されるように、方法は、次のステップを含む。
【００８１】
Ｓ９１０．端末はネットワークデバイスからＳＳを受信する。
【００８２】
Ｓ９２０．端末は、搬送波でのデータ／制御情報伝送に使用されるＰＲＢグリッドと整列される（又は一致する）第１ＰＲＢグリッドをＳＳに基づき決定する。
【００８３】
Ｓ９３０．端末は、搬送波のＰＲＢグリッドとして第１ＰＲＢグリッドを使用することによって、搬送波でデータ／制御情報を受信／送信する。
【００８４】
端末がＳＳを受信し、ＳＳに基づき第１ＰＲＢグリッドを決定するプロセスは、上記の実施形態のステップＳ６２０及びＳ６３０と同じであり、詳細は、ここで再びは記載されない。
【００８５】
上記のステップＳ９３０で、端末は、ＳＳに使用されるＰＲＢグリッドが搬送波に使用されるＰＲＢグリッドと同じであるか又は整列されるとデフォルトで見なし、そして、ＳＳに使用されるＰＲＢグリッドが搬送波のＰＲＢグリッドとして使用される。搬送波でのデータ／制御情報伝送に使用されるＰＲＢグリッドはＳＳに使用されるＰＲＢグリッドと整列されるので、端末は正確に、周波数リソースを解釈し、データ／制御情報を受信及び送信することができる。
【００８６】
図１０は、本願の実施形態に従う更なる他の通信方法の概略図である。方法において、端末は、ＳＳに使用されるＰＲＢグリッドが搬送波に使用されるＰＲＢグリッドと同じであるか又は整列されるとデフォルトで考える。図１０に示されるように、方法は、次のステップを含む。
【００８７】
Ｓ１０１．ネットワークデバイスは、搬送波の周波数に基づきＳＳラスタのサイズ、チャネルラスタのサイズ、及びサブキャリア間隔を決定する。
【００８８】
Ｓ１０２．ネットワークデバイスは、決定されたサブキャリア間隔を使用することによって、ＳＳラスタの第１の位置でＳＳを送信し、このとき、ＳＳの中心周波数は第１の位置にある。
【００８９】
Ｓ１０３．ネットワークデバイスは、決定されたサブキャリア間隔を使用することによって、搬送波でデータ／制御情報を送信又は受信し、このとき、搬送波に使用されるＰＲＢグリッドは、ＳＳに使用されるＰＲＢグリッドと同じである。
【００９０】
ＳＳラスタのサイズはＸであり、サブキャリア間隔のサイズはＹであり、チャネルラスタのサイズはＺであり、このとき、Ｘ＝Ｚ×Ｍ１、Ｙ×１２＝Ｚ×Ｎ１、Ｍ１及びＮ１は２以上の整数である。
【００９１】
ＮＲ通信システムは、｛３．７５，７．５，１５，３０，６０，１２０，２４０，４８０｝ｋＨｚのような複数のサブキャリア間隔をサポートする。複数のサブキャリア間隔が１つの搬送波でサポート可能であり、異なったサブキャリア間隔に対応するＰＲＢがＰＲＢグリッドに位置する。すなわち、異なったサブキャリア間隔ごとに、異なったＰＲＢグリッドが存在する。異なったサブキャリア間隔に対応するＰＲＢグリッドは、周波数領域で入れ子関係にある。例えば、図１１は、本願の実施形態に従って複数のサブキャリア間隔に対応するＰＲＢグリッドの概略図であり、左側にあるｆ０、２ｆ０、４ｆ０、及び８ｆ０は、サブキャリア間隔を表し、これらのサブキャリア間隔に対応するグリッドは、対応するサブキャリア間隔のＰＲＢグリッドを表す。異なったサブキャリア間隔に対応するＰＲＢグリッドは、周波数領域で入れ子関係にあることが知られ得る。あるサブキャリア間隔に対応するＰＲＢグリッドを決定した後、端末は、そのサブキャリア間隔よりも大きいサブキャリア間隔に対応する他のＰＲＢグリッドを決定することができない。例えば、図１１に示されるように、サブキャリア間隔ｆ０に対応するＰＲＢグリッドの境界は、サブキャリア間隔２ｆ０に対応するＰＲＢグリッドの境界に位置してよく、あるいは、サブキャリア間隔２ｆ０に対応するＰＲＢグリッド内のＰＲＢの中心に位置してもよい。従って、端末は、サブキャリア間隔２ｆ０に対応するＰＲＢグリッドを決定することができない。端末がサブキャリア間隔２ｆ０に対応するＰＲＢグリッドを決定する場合に、サブキャリア間隔ｆ０に対応するＰＲＢグリッドの境界は、サブキャリア間隔２ｆ０に対応するＰＲＢグリッドの境界上のみである。従って、サブキャリア間隔ｆ０に対応するＰＲＢグリッドは、サブキャリア間隔ｆ０に基づき直接決定され得る。
【００９２】
この問題を鑑みて、本願の実施形態は、他の通信方法を提供する。方法において、ネットワークデバイスは、異なったサブキャリア間隔に対応するＰＲＢグリッド間の周波数オフセットを示すために使用される指示情報Ｉ３を端末へ送る。このようにして、端末は、既知のＰＲＢグリッド及び周波数オフセットに基づき、未知のＰＲＢグリッドを決定することができる。既知のＰＲＢグリッドは、上記の実施形態のＰＲＢグリッドＧ１であってよい。すなわち、既知のＰＲＢグリッドに対応するサブキャリア間隔は、ＳＳのサブキャリア間隔と同じである。従って、既知のＰＲＢグリッドを取得する方法は、上記の実施形態でＰＲＢグリッドＧ１を取得する方法と同じである。詳細は、ここで再びは記載されない。
【００９３】
図１２は、本願の実施形態に従う更なる他の通信方法の概略図である。図１２に示されるように、方法は、次のステップを含む。
【００９４】
Ｓ１２１．端末はＰＲＢグリッドＤ１を決定し、このとき、ＰＲＢグリッドＤ１に対応するサブキャリア間隔はＳ１である。
【００９５】
Ｓ１２２．ネットワークデバイスは、ＰＲＢグリッドＤ１とＰＲＢグリッドＤ２との間の周波数オフセットＦ２を示すために使用される指示情報Ｉ３を端末へ送信し、ＰＲＢグリッドＤ２に対応するサブキャリア間隔はＳ２であり、サブキャリア間隔Ｓ２はサブキャリア間隔Ｓ１よりも大きい。端末は、ネットワークデバイスから指示情報Ｉ３を受信し、次のステップＳ１２３を実行する。
【００９６】
Ｓ１２３．端末は、ＰＲＢグリッドＤ１及び周波数オフセットＦ２に基づき、ＰＲＢグリッドＤ２を決定する。
【００９７】
次いで、端末とネットワークデバイスとの間で、データ／制御情報伝送（Ｓ１２４）が実行される。ネットワークデバイスは、データ／制御情報伝送のためのリソースをＰＲＢグリッドＤ２に基づき端末に割り当てる。端末がＰＲＢグリッドＤ２を決定した後、端末は、ネットワークデバイスとリソースの一致した理解を有しており、それによって、データ／制御情報伝送の正確さは改善される。
【００９８】
ＰＲＢグリッドＤ１は、上記の実施形態のＰＲＢグリッドＧ１であってよい。端末は、上記の実施形態の方法を使用することによって、ＰＲＢグリッドＤ１を決定してよい。詳細は、ここで再びは記載されない。代替的に、端末は、ＰＲＢグリッドＤ１（ＰＲＢグリッドＧ１）が、ＳＳ（又はＳＳブロック）に使用されるＰＲＢグリッド（ＰＲＢグリッドＧ０）と同じである（又は一致する）とデフォルトで考える。ＳＳを検出した後、端末は、検出されたＳＳに基づきＰＲＢグリッドＧ１を直接決定する。
【００９９】
ＰＲＢグリッドＤ１に対応するサブキャリア間隔Ｓ１は、ＳＳのサブキャリア間隔であってよい。ＰＲＢグリッドＤ２に対応するサブキャリア間隔Ｓ２は、ＳＳのサブキャリア間隔よりも大きい。
【０１００】
ネットワークデバイスは、ＰＢＣＨを通じて指示情報Ｉ３を送信してもよく、その場合に、端末は、ＰＢＣＨを通じて指示情報Ｉ３を受信し得る。代替的に、ネットワークデバイスは、剰余最小システム情報（remaining  minimum  system  information，ＲＭＳＩ）を使用することによって指示情報Ｉ３を送信してもよく、その場合に、端末はＲＭＳＩを受信し、このとき、ＲＭＳＩが指示情報Ｉ３を運ぶ。代替的に、ネットワークデバイスは、上位レイヤシグナリング、例えば、無線リソース制御（radio  resource  control，ＲＲＣ）メッセージを使用することによって、指示情報Ｉ３を送信してもよく、その場合に、端末は上位レイヤシグナリングを受信し、このとき、上位レイヤシグナリングが指示情報Ｉ３を運ぶ。
【０１０１】
この実施形態の方法は、上記の実施形態の方法と組み合わされ得る。搬送波が複数のサブキャリア間隔をサポートするとき、複数のサブキャリア間隔は、サブキャリア間隔Ｓ１及びサブキャリア間隔Ｓ２を含み、サブキャリア間隔Ｓ１はＳＳのサブキャリア間隔と同じであり、サブキャリア間隔Ｓ２はＳＳのサブキャリア間隔とは異なる。ＳＳを検出すると、端末は、ＳＳに基づき、ＳＳに使用されるＰＲＢグリッドを決定し得る。ＳＳに使用されるＰＲＢグリッドが搬送波に使用されるＰＲＢグリッドと同じであるとデフォルトで端末が見なす場合に、ＳＳのＰＲＢグリッドがＰＲＢグリッドＤ１として使用されてよい。端末が、ネットワークデバイスによって送信された指示情報Ｉ１に基づき、搬送波に使用されるＰＲＢグリッドを決定する場合に、端末は、上記の実施形態において指示情報Ｉ１に基づきＰＲＢグリッドＤ１を決定し、それから、ＰＲＢグリッドＤ１及び指示情報Ｉ３に基づきＰＲＢグリッドＤ２を決定する。このようにして、サブキャリア間隔Ｓ１及びＳ２をサポートする搬送波でのデータ／制御情報の正確な伝送は実装され得る。より多くのサブキャリア間隔はこれと同様であり、詳細は、ここで再びは記載されない。
【０１０２】
端末は、ＰＲＢグリッドＤ１（ＰＲＢグリッドＧ１）がＳＳ（又はＳＳブロック）に使用されるＰＲＢグリッドＧ０と同じであるとデフォルトで考える。ＳＳを検出した後、端末は、検出されたＳＳに基づき、ＰＲＢグリッドＤ２を決定する。図１３は、本願の実施形態に従う他の通信方法の概略図である。図１３に示されるように、方法は、次のステップを含む。
【０１０３】
Ｓ１３１．ネットワークデバイスはＳＳを端末へ送る。
【０１０４】
Ｓ１３２．端末はＳＳを検出する。
【０１０５】
Ｓ１３３．ＳＳが検出されると、端末はＳＳの中心周波数を決定する。
【０１０６】
Ｓ１３４．ネットワークデバイスは、ＳＳの中心周波数とＰＲＢグリッドＤ２の境界との間の周波数オフセットＦ３を示すために使用される指示情報Ｉ４を端末へ送る。
【０１０７】
Ｓ１３５．端末は、ＳＳの中心周波数及び周波数オフセットＦ３に基づき、ＰＲＢグリッドＤ２を決定する。
【０１０８】
次いで、端末とネットワークデバイスとの間で、データ／制御情報伝送（Ｓ１３６）が実行される。ネットワークデバイスは、データ／制御情報伝送のためのリソースをＰＲＢグリッドＤ２に基づき端末に割り当てる。端末がＰＲＢグリッドＤ２を決定した後、端末は、ネットワークデバイスとリソースの一致した理解を有しており、それによって、データ／制御情報伝送の正確さは改善される。
【０１０９】
ＰＲＢグリッドＤ２に対応するサブキャリア間隔Ｓ２は、ＳＳのサブキャリア間隔よりも大きい。
【０１１０】
ネットワークデバイスは、ＰＢＣＨを通じて指示情報Ｉ４を送信してもよく、その場合に、端末は、ＰＢＣＨを通じて指示情報Ｉ４を受信し得る。代替的に、ネットワークデバイスは、ＲＭＳＩを使用することによって指示情報Ｉ４を送信してもよく、その場合に、端末はＲＭＳＩを受信し、このとき、ＲＭＳＩが指示情報Ｉ４を運ぶ。代替的に、ネットワークデバイスは、上位レイヤシグナリング、例えば、ＲＲＣメッセージを使用することによって、指示情報Ｉ４を送信してもよく、その場合に、端末は上位レイヤシグナリングを受信し、このとき、上位レイヤシグナリングが指示情報Ｉ４を運ぶ。
【０１１１】
図１４は、本願の実施形態に従うＰＲＢグリッドの概略図である。ＰＲＢグリッドＤ１に対応するサブキャリア間隔又はＳＳのサブキャリア間隔は基準サブキャリア間隔ｆ０であり、ＰＲＢグリッドＤ２に対応するサブキャリア間隔はｆ１であると仮定される。図１４（１）に示されるように、ｆ１／ｆ０＝２である。図１２に示される実施形態の場合に、ＰＲＢグリッドＤ１の境界は、ＰＲＢグリッドＤ２の境界（例えば、図１４（１）の位置０）に位置してよく、あるいは、ＰＲＢグリッドＤ２のＰＲＢの中心（例えば、図１４（１）の位置１）に位置してもよい。この場合に、１ビット指示情報Ｉ３が、位置を示すために使用されてよい。例えば、“０”は位置０を示し、“１”は位置１を示す。確かに、指示情報Ｉ３の値の意味はまた、逆にされてもよく、これは制限されない。図１３に示される実施形態の場合に、ＳＳ（又はＳＳブロック）の中心周波数は、ＰＲＢグリッドＤ２の境界（例えば、図１４（１）の位置０）に位置してよく、あるいは、ＰＲＢグリッドＤ２のＰＲＢの中心（例えば、図１４（１）の位置１）に位置してもよい。この場合に、１ビット指示情報Ｉ４が、位置を示すために使用されてよい。例えば、“０”は位置０を示し、“１”は位置１を示す。確かに、指示情報Ｉ４の値の意味はまた、逆にされてもよく、これは制限されない。上記の位置は、周波数オフセットを使用することによって示されてもよい。具体的に言えば、位置０は、周波数オフセットＦ２又はＦ３が０であることを示し、位置１は、周波数オフセットＦ２又はＦ３がＰＲＢの半分であることを示す。ＰＲＢに対応するサブキャリア間隔は、ＰＲＢグリッドＤ２に対応するサブキャリア間隔と同じである。
【０１１２】
図１４（２）に示されるように、ｆ１／ｆ０＝４である。図１２に示される実施形態の場合に、ＰＲＢグリッドＤ１の境界は、ＰＲＢグリッドＤ２の境界（例えば、図１４（２）の位置０）に位置してよく、あるいは、ＰＲＢグリッドＤ２のＰＲＢの１／４である位置（例えば、図１４（２）の位置１）に位置してもよく、あるいは、ＰＲＢグリッドＤ２のＰＲＢの中心（例えば、図１４（２）の位置２）に位置してもよく、あるいは、ＰＲＢグリッドＤ２のＰＲＢの３／４である位置（例えば、図１４（２）の位置３）に位置してもよい。この場合に、２ビット指示情報Ｉ３が、位置を示すために使用されてよい。例えば、“００”は位置０を示し、“０１”は位置１を示し、“１０”は位置２を示し、“１１”は位置３を示す。図１３に示される実施形態の場合に、ＳＳ（又はＳＳブロック）の中心周波数は、ＰＲＢグリッドＤ２の境界（例えば、図１４（２）の位置０）に位置してよく、あるいは、ＰＲＢグリッドＤ２のＰＲＢの１／４である位置（例えば、図１４（２）の位置１）に位置してもよく、あるいは、ＰＲＢグリッドＤ２のＰＲＢの中心（例えば、図１４（２）の位置２）に位置してもよく、あるいは、ＰＲＢグリッドＤ２のＰＲＢの３／４である位置（例えば、図１４（２）の位置３）に位置してもよい。この場合に、２ビット指示情報Ｉ４が、位置を示すために使用されてよい。例えば、“００”は位置０を示し、“０１”は位置１を示し、“１０”は位置２を示し、“１１”は位置３を示す。上記の位置は、周波数オフセットを使用することによって示されてもよい。具体的に言えば、位置０は、周波数オフセットＦ２又はＦ３が０であることを示し、位置１は、周波数オフセットＦ２又はＦ３がＰＲＢの１／４であることを示し、位置２は、周波数オフセットＦ２又はＦ３がＰＲＢの１／２であることを示し、位置３は、周波数オフセットＦ２又はＦ３がＰＲＢの３／４であることを示す。ＰＲＢに対応するサブキャリア間隔は、ＰＲＢグリッドＤ２に対応するサブキャリア間隔と同じである。ＰＲＢグリッドＤ２におけるＰＲＢのとり得る位置番号は、低周波領域位置番号から高周波領域位置番号へと予め定義されても、あるいは、高周波領域位置番号から低周波領域位置番号へと予め定義されてもよい。代替的に、１ビットが、番号付け方向、すなわち、オフセット方向を示すために使用される。
【０１１３】
上記の実施形態で記載されるように、ＰＲＢグリッドＤ２は、データ／制御情報伝送のために使用されてよい。例えば、ＰＲＢグリッドＤ２は、ＲＭＳＩ伝送のために使用されてよい。この場合に、ＰＲＢグリッドＤ２は、ＲＭＳＩのＰＲＢグリッドである。従って、上記の実施形態で提供される、ＰＲＢグリッドＤ２を決定するいずれの方法も、ＲＭＳＩのＰＲＢグリッドを決定するために使用されてよい。ＲＭＳＩのＰＲＢグリッドは、ＲＭＳＩを送信するために使用されるサブキャリア間隔に対応するＰＲＢグリッドである。この場合に、ＲＭＳＩのサブキャリア間隔は、ＰＲＢグリッドＤ２に対応するサブキャリア間隔Ｓ２である。以下は、ＰＲＢグリッドＤ２がＲＭＳＩのＰＲＢグリッドであるところの例を使用することによって、添付の図面を参照して記載される。
【０１１４】
図２４は、本願の実施形態に従う更なる他の通信方法の概略図である。図２４に示されるように、方法は、次のステップを含む。
【０１１５】
Ｓ２４１．ネットワークデバイスはＳＳブロックを送信する。
【０１１６】
ＳＳブロックはＳＳ及びＰＢＣＨを含み、このとき、ＲＭＳＩのサブキャリア間隔Ｓ２に関する情報はＰＢＣＨで運ばれる。
【０１１７】
Ｓ２４２．端末はＳＳを検出し、ＰＢＣＨ上の情報を受信する。
【０１１８】
ＳＳを検出した後、端末はＳＳの中心周波数を決定し、それから、その中心周波数を中心とする２４個のＰＲＢで、ＰＢＣＨ上の情報を受信し得る。このようにして、端末は、ＲＭＳＩのサブキャリア間隔Ｓ２を取得し得る。ＲＭＳＩのサブキャリア間隔Ｓ２はＳＳのサブキャリア間隔とは異なることがあるので、上記の実施形態で記載されたように、ＲＭＳＩのサブキャリア間隔Ｓ２がＳＳのサブキャリア間隔よりも大きいとき、ネットワークデバイスは、ＰＲＢグリッドＤ１とＰＲＢグリッドＤ２との間の周波数オフセットＦ２を端末に示し、それにより、端末は、ＰＲＢグリッドＤ１に基づきＲＭＳＩのＰＲＢグリッドＤ２を決定する。例えば、ネットワークデバイスは、ＲＭＳＩのＰＲＢグリッドを決定するために使用される指示情報Ｉ０を端末へ送信する。この場合に、方法は、次のステップを更に含む。
【０１１９】
Ｓ２４３．ネットワークデバイスは、ＲＭＳＩのＰＲＢグリッドを決定するために使用される指示情報Ｉ０を端末へ送信する。
【０１２０】
ネットワークデバイスは、ＰＢＣＨを通じて指示情報Ｉ０を送信してよい。
【０１２１】
Ｓ２４４．端末は指示情報Ｉ０を受信し、指示情報Ｉ０に基づきＲＭＳＩのＰＲＢグリッドを決定する。
【０１２２】
具体的に、端末は、上記の実施形態のいずれかの方法を使用することによって、ＰＲＢグリッドＤ１を決定し、それから、ＰＲＢグリッドＤ１及び指示情報Ｉ０に基づき、ＲＭＳＩのＰＲＢグリッドを決定する。
【０１２３】
Ｓ２４５．端末は、ＲＭＳＩの決定されたＰＲＢグリッドに基づき、ＲＭＳＩを受信する。
【０１２４】
指示情報Ｉ０のいくつかの実施上の解決法が、以下で別々に記載される。指示情報Ｉ０のそれらの実施上の解決法は、ＰＲＢグリッドＤ２を決定するための上記の解決法のうちのいずれか１つに適用される。ＰＲＢグリッドＤ２は、例えば、図２４では、ＲＭＳＩのＰＲＢグリッドである。
【０１２５】
解決法１：指示情報は、ＰＲＢグリッドＤ１とＰＲＢグリッドＤ２との間の相対位置を示す。
【０１２６】
指示情報Ｉ０は、２つの情報ビットを含んでよい。ＰＲＢグリッドＤ１に対応する異なったサブキャリア間隔Ｓ１と、ＰＲＢグリッドＤ２に対応する異なったサブキャリア間隔Ｓ２とについて、２つの情報ビットの説明は異なっている。
【０１２７】
図２５は、本願の実施形態に従うＰＲＢグリッドの概略図である。ＰＲＢグリッドＤ１に対応するサブキャリア間隔は基準サブキャリア間隔ｆ０であり、そのサブキャリア間隔はＳＳのサブキャリア間隔に等しく、ＰＲＢグリッドＤ２に対応するサブキャリア間隔はｆ１である。図２５に示されるように、図２５（１）は、サブキャリア間隔ｆ０が１５ｋＨｚであり、サブキャリア間隔ｆ１が３０ｋＨｚであるところの例を示し、図２５（２）は、サブキャリア間隔ｆ０が３０ｋＨｚであり、サブキャリア間隔ｆ１が６０ｋＨであるところの例を示し、このとき、ｆ１／ｆ０＝２である。この場合に、ＰＲＢグリッドＤ１の境界（一例として図２５の境界Ｂ１を使用する。）は、ＰＲＢグリッドＤ２の境界（図２５で位置０によって示される。）に位置してよく、あるいは、ＰＲＢグリッドＤ２のＰＲＢの中心（図２５で位置１によって示される。）に位置してもよい。
【０１２８】
この場合に、グリッド位置を示すために、２ビット指示情報Ｉ０が使用されてよい。例えば、“００”は位置０を示し、“０１”は位置１を示し、“１０”及び“１１”は、リザーブされた情報ビットとして使用される。確かに、指示情報Ｉ０の値の意味については他の説明も存在し得る。例えば、“１０”は位置０を示し、“１１”が位置１を示し、“００”及び“０１”は、リザーブされた情報ビットとして使用される。これは制限されない。上記のグリッド位置は、周波数領域オフセットを使用することによって示されてもよい。具体的に言えば、“００”は、周波数領域オフセットが０であることを示し、“０１”は、周波数領域オフセットがＰＲＢの半分又は６つのサブキャリアであることを示し、このとき、ＰＲＢ又はサブキャリアに対応するサブキャリア間隔は、ＰＲＢグリッドＤ２に対応するサブキャリア間隔と同じである。代替的に、“００”は、周波数領域オフセットが０であることを示し、“０１”は、オフセットが１つのＰＲＢ又は１２個のサブキャリアであることを示し、このとき、ＰＲＢ又はサブキャリアに対応するサブキャリア間隔は、ＰＲＢグリッドＤ１に対応するサブキャリア間隔と同じである。
【０１２９】
図２６は、本願の実施形態に従う他のＰＲＢグリッドの概略図である。ＰＲＢグリッドＤ１に対応するサブキャリア間隔は基準サブキャリア間隔ｆ０であり、そのサブキャリア間隔はＳＳのサブキャリア間隔に等しく、ＰＲＢグリッドＤ２に対応するサブキャリア間隔はｆ１であると仮定される。図２６に示されるように、サブキャリア間隔ｆ０が１５ｋＨｚであり、サブキャリア間隔ｆ１が６０ｋＨであり、ｆ１／ｆ０＝４である例において、ＰＲＢグリッドＤ１の境界（例えば、図２６の境界Ｂ２）は、ＰＲＢグリッドＤ２の境界（図２６で位置０によって示される。）に位置してよく、あるいは、ＰＲＢグリッドＤ２のＰＲＢの１／４である位置（図２６で位置１によって示される。）に位置してもよく、あるいは、ＰＲＢグリッドＤ２のＰＲＢの中心（図２６で位置２によって示される。）に位置してもよく、あるいは、ＰＲＢグリッドＤ２のＰＲＢの３／４である位置（図２６で位置３によって示される。）に位置してもよい。周波数領域オフセット方向は、境界Ｂ１が低周波領域位置から高周波領域位置へオフセットすることとして予め定義されても、又は境界Ｂ１が高周波領域位置から低周波領域位置へオフセットすることとして予め定義されてもよく、あるいは、１ビットがオフセット方向を示すために使用される。
【０１３０】
この場合に、グリッド位置を示すために、２ビット指示情報Ｉ０が使用されてよい。例えば、“００”は位置０を示し、“０１”は位置１を示し、“１０”は位置２を示し、“１１”は位置３を示す。確かに、指示情報Ｉ０の値の意味については他の説明も存在してよく、これは制限されない。上記のグリッド位置は、周波数領域オフセットを使用することによって示されてもよい。例えば、“００”は、周波数領域オフセットが０であることを示し、“０１”は、周波数領域オフセットがＰＲＢの１／４又は３つのサブキャリアであることを示し、“１０”は、周波数領域オフセットがＰＲＢの１／２又は６つのサブキャリアであることを示し、“１１”は、周波数領域オフセットがＰＲＢの３／４又は９つのサブキャリアであることを示し、このとき、ＰＲＢ又はサブキャリアに対応するサブキャリア間隔は、ＰＲＢグリッドＤ２に対応するサブキャリア間隔と同じである。代替的に、“００”は、周波数領域オフセットが０であることを示し、“０１”は、周波数領域オフセットが１つのＰＲＢ又は１２個のサブキャリアであることを示し、“１０”は、周波数領域オフセットが２つのＰＲＢ又は２４個のサブキャリアであること示し、“１１”は、周波数領域オフセットが３つのＰＲＢ又は３６個のサブキャリアであることを示し、このとき、ＰＲＢ又はサブキャリアに対応するサブキャリア間隔は、ＰＲＢグリッドＤ１に対応するサブキャリア間隔と同じである。周波数領域オフセット方向は、境界Ｂ２が低周波領域位置から高周波領域位置へオフセットすることとして予め定義されても、又は境界Ｂ２が高周波領域位置から低周波領域位置へオフセットすることとして予め定義されてもよく、あるいは、１ビットがオフセット方向を示すために使用される。
【０１３１】
更には、オフセット（図２６に示されるオフセット）は、上記のＰＲＢグリッドＤ１の境界とＳＳの中心周波数との間に存在する。このオフセットは“０”であることがある。この場合に、ＳＳのＰＲＢグリッドは、ＰＲＢグリッドＤ１として使用され得る。
【０１３２】
この解決法では、指示情報Ｉ０は、ＰＲＢグリッドＤ１とＰＲＢグリッドＤ２との間の相対位置を示すために使用されてよいことが知られ得る。ここで、相対位置は、周波数領域オフセット又は、ＰＲＢグリッドＤ２におけるＰＲＢグリッドＤ１のプリセットされた境界の位置であってよい。
【０１３３】
解決法２：指示情報は、ＰＲＢグリッドＤ２を暗黙的に取得するために、搬送波周波数帯域によってサポートされる最大サブキャリア間隔に対応するＰＲＢグリッドを示す。
【０１３４】
指示情報Ｉ０は、搬送波周波数帯域によってサポートされる最大サブキャリア間隔に対応するＰＲＢグリッドを示すために使用される２つの情報ビットを含んでよい。例えば、６ＧＨｚを下回る搬送波では、ＲＭＳＩのサブキャリアのサイズにかかわらず、指示情報は、６０ｋＨｚに対応するＰＲＢグリッドを示すために使用される。
【０１３５】
ＳＳのサブキャリア間隔が１５ｋＨｚである場合に、ＰＲＢグリッドＤ１に対応するサブキャリア間隔は１５ｋＨｚである。この場合に、指示情報Ｉ０は、搬送波周波数帯域によってサポートされる最大サブキャリア間隔に対応するＰＲＢグリッドＤ２’と、ＰＲＢグリッドＤ１との間の相対位置を示し、このとき、相対位置は、周波数領域オフセット又は、ＰＲＢグリッドＤ２’におけるＰＲＢグリッドＤ１の境界の位置であってよい。例えば、指示情報Ｉ０が“００”である場合に、それは、周波数領域オフセットが０であることを示し、“０１”は、周波数領域オフセットがＰＲＢの１／４又は３つのサブキャリアであることを示し、“１０”は、周波数領域オフセットがＰＲＢの１／２又は６つのサブキャリアであることを示し、“１１”は、周波数領域オフセットがＰＲＢの３／４又は９つのサブキャリアであることを示し、このとき、ＰＲＢ又はサブキャリアに対応するサブキャリア間隔は、現在の搬送波周波数帯域によってサポートされる最大サブキャリア間隔（６０ｋＨｚ）である。代替的に、指示情報Ｉ０が“００”である場合に、それは、周波数領域オフセットが０であることを示し、“０１”は、周波数領域オフセットが１つのＰＲＢ又は１２個のサブキャリアであることを示し、“１０”は、周波数領域オフセットが２つのＰＲＢ又は２４個のサブキャリアであることを示し、“１１”は、周波数領域オフセットが３つのＰＲＢ又は３６個のサブキャリアであることを示し、このとき、ＰＲＢ又はサブキャリアに対応するサブキャリア間隔は、ＳＳのサブキャリア間隔である。周波数領域オフセット方向は、ＰＲＢグリッドＤ１の境界Ｂ２が低周波領域位置から高周波領域位置へオフセットすることとして予め定義されても、又はＰＲＢグリッドＤ１の境界Ｂ２が高周波領域位置から低周波領域位置へオフセットすることとして予め定義されてもよく、あるいは、１ビットがオフセット方向を示すために使用される。
【０１３６】
ＳＳのサブキャリア間隔が３０ｋＨｚである場合に、ＰＲＢグリッドＤ１に対応するサブキャリア間隔は３０ｋＨｚである。この場合に、指示情報Ｉ０は、搬送波周波数帯域によってサポートされる最大サブキャリア間隔に対応するＰＲＢグリッドＤ２”と、ＰＲＢグリッドＤ１との間の相対位置を示し、このとき、相対位置は、周波数領域オフセット又は、ＰＲＢグリッドＤ２”におけるＰＲＢグリッドＤ１の境界の位置であってよい。例えば、指示情報Ｉ０が“００”である場合に、それは、周波数領域オフセットが０であることを示し、“０１”は、周波数領域オフセットがＰＲＢの半分又は６つのサブキャリアであることを示し、このとき、ＰＲＢ又はサブキャリアに対応するサブキャリア間隔は、現在の搬送波周波数帯域によってサポートされる最大サブキャリア間隔（６０ｋＨｚ）である。代替的に、指示情報Ｉ０が“００”である場合に、それは、周波数領域オフセットが０であることを示し、“０１”は、周波数領域オフセットが１つのＰＲＢ又は１２個のサブキャリアであることを示し、このとき、ＰＲＢ又はサブキャリアに対応するサブキャリア間隔は、ＳＳのサブキャリア間隔と同じである。周波数領域オフセット方向は、ＰＲＢグリッドＤ１の境界Ｂ１が低周波領域位置から高周波領域位置へオフセットすることとして予め定義されても、又はＰＲＢグリッドＤ１の境界Ｂ１が高周波領域位置から低周波領域位置へオフセットすることとして予め定義されてもよく、あるいは、１ビットがオフセット方向を示すために使用される。
【０１３７】
また、指示情報Ｉ０の値の意味については他の説明が存在してもよく、これは制限されない。
【０１３８】
現在の搬送波周波数帯域によってサポートされる最大サブキャリア間隔に対応するＰＲＢグリッドが決定されると、図１１に示される異なったサブキャリア間隔の間の入れ子関係に基づき、ＰＲＢグリッドＤ２が決定され得る。
【０１３９】
この解決法では、指示情報Ｉ０は、搬送波周波数帯域によってサポートされる最大サブキャリア間隔に対応するＰＲＢグリッドを示すために、例えば、ＰＲＢグリッドＤ１と、搬送波周波数帯域によってサポートされる最大サブキャリア間隔に対応するＰＲＢグリッドとの間の相対位置を示すために使用されてよいことが知られ得る。ここで、相対位置は、周波数領域オフセット又は、搬送波周波数帯域によってサポートされる最大サブキャリア間隔に対応するＰＲＢグリッドにおけるＰＲＢグリッドＤ１のプリセットされた境界の位置であってよい。
【０１４０】
解決法３：指示情報は、ＰＲＢグリッドＤ１とＰＲＢグリッドＤ２との間の相対位置を示す。
【０１４１】
最初のアクセスプロセスで、ＲＭＳＩは、端末が搬送波にアクセスするために使用される。この場合に、ＲＭＳＩのサブキャリア間隔は、全ての端末によってサポートされる。６ＧＨｚを下回る周波数帯域では、６０ｋＨｚサブキャリア間隔は全ての端末に適用可能でないことがあり、ＲＭＳＩの候補サブキャリア間隔は１５ｋＨｚ又は３０ｋＨｚのみであり得る。この場合に、ＲＭＳＩのサブキャリア間隔に対応するＰＲＢグリッドを示すために、１ビット第２指示情報Ｉ０がＰＢＣＨで送られてよい。
【０１４２】
例えば、指示情報Ｉ０が“０”である場合に、それは、周波数領域オフセットが０であることを示し、“１”は、オフセットがＰＲＢの半分又は６つのサブキャリアであることを示し、このとき、ＰＲＢ又はサブキャリアに対応するサブキャリア間隔は、ＲＭＳＩのサブキャリア間隔である。代替的に、指示情報Ｉ０が“０”である場合に、それは、周波数領域オフセットが０であることを示し、“１”は、周波数領域オフセットが１つのＰＲＢ又は１２個のサブキャリアであることを示し、このとき、ＰＲＢ又はサブキャリアに対応するサブキャリア間隔は、ＳＳのサブキャリア間隔と同じである。周波数領域オフセット方向は、ＰＲＢグリッドＤ１の境界Ｂ１又はＢ２が低周波領域位置から高周波領域位置へオフセットすることとしても、又はＰＲＢグリッドＤ１の境界Ｂ１又はＢ２が高周波領域位置から低周波領域位置へオフセットすることとして予め定義されてもよく、あるいは、１ビットがオフセット方向を示すために使用される。
【０１４３】
また、指示情報Ｉ０の値の意味については他の説明が存在してもよく、これは制限されない。
【０１４４】
この解決法では、ＲＭＳＩの２つの候補サブキャリア間隔が存在し、指示情報Ｉ０は１つの情報ビットを含み、ＰＲＢグリッドＤ１とＰＲＢグリッドＤ２との間の相対位置を示すために使用されてよいことが知られ得る。ここで、相対位置は、周波数領域オフセット又は、ＰＲＢグリッドＤ２におけるＰＲＢグリッドＤ１のプリセットされた境界の位置であってよい。
【０１４５】
解決法４：指示情報は、ＲＭＳＩのサブキャリア間隔及びＲＭＳＩのＰＲＢグリッドを一緒に示す。
【０１４６】
最初のアクセスプロセスで、ＲＭＳＩは、端末が搬送波にアクセスするために使用される。この場合に、ＲＭＳＩのサブキャリア間隔は、全ての端末によってサポートされる。６ＧＨｚを下回る周波数帯域では、６０ｋＨｚサブキャリア間隔は全ての端末に適用可能でないことがあり、ＲＭＳＩの候補サブキャリア間隔は１５ｋＨｚ又は３０ｋＨｚのみである。この場合に、ＲＭＳＩのサブキャリア間隔及びＲＭＳＩのＰＲＢグリッドを示すために、２ビット第２指示情報Ｉ０がＰＢＣＨで送られてよい。
【０１４７】
ＳＳのサブキャリア間隔Ｓ１が１５ｋＨｚであるとき、ＲＭＳＩのサブキャリア間隔はＳ２であり、指示情報Ｉ０の値の意味は、以下で表３に示され得る：
【表２】
2020530743.tif 000004
【０１４８】
表中の候補位置は、図２５（１）に図示され得、夫々位置０及び位置１である。候補位置１が位置０であってよく、候補位置２が位置１であってよく、あるいは、候補位置１が位置１であってよく、候補位置２が位置０であってよい。
【０１４９】
上記の位置はまた、以下で表４に示されるように、周波数領域オフセットを使用することによっても示され得る：
【表３】
2020530743.tif 000005
【０１５０】
代替的に、以下で表５に示されるように：
【表４】
2020530743.tif 000006
【０１５１】
ＳＳのサブキャリア間隔Ｓ１が３０ｋＨｚであるとき、ＲＭＳＩのサブキャリア間隔はＳ２である。ＲＭＳＩのサブキャリア間隔Ｓ２がＳＳのサブキャリア間隔Ｓ１よりも小さいとき、図１１に示される入れ子関係に基づき、ＲＭＳＩのＰＲＢグリッドが取得され得る。この場合に、指示情報Ｉ０は、サブキャリア間隔を示すためにしか使用されなくてよく、指示情報Ｉ０の値の意味は、以下で表６に示され得る：
【表５】
2020530743.tif 000007
【０１５２】
上記の位置は、以下で表７又は表８に示されるように、周波数領域オフセットを使用することによって示されてもよい。この場合のＰＲＢオフセットの数量は０であるから、指示情報Ｉ０は、サブキャリア間隔を示すためにしか使用されなくてよい。
【表６】
2020530743.tif 000008
【０１５３】
表中のオフセットは、ＰＲＢグリッドＤ１の境界Ｂ１又はＢ２からＰＲＢグリッドＤ２へのオフセットである。周波数領域オフセット方向は、低周波領域位置から高周波領域位置へオフセットすることとして予め定義されても、又は高周波領域位置から低周波領域位置へオフセットすることとして予め定義されてもよく、あるいは、１ビットがオフセット方向を示すために使用される。オフセットの単位は、代替的に、サブキャリアの数量であってもよく、１つのＰＲＢは１２個のサブキャリアに対応する。
【０１５４】
この解決法では、ＲＭＳＩの２つの候補サブキャリア間隔が存在し、指示情報Ｉ０は２つの情報ビットを含み、ＲＭＳＩのサブキャリア間隔を示すために使用されても、又はＲＭＳＩのサブキャリア間隔及びＰＲＢグリッドＤ１とＰＲＢグリッドＤ２との間の相対位置を示すために使用されてもよいことが知られ得る。ここで、相対位置は、周波数領域オフセット又は、ＰＲＢグリッドＤ２におけるＰＲＢグリッドＤ１のプリセットされた境界の位置であってよい。
【０１５５】
解決法５：指示情報は、ＲＭＳＩのサブキャリア間隔及びＲＭＳＩのＰＲＢグリッドを一緒に示す。
【０１５６】
解決法４との相違は、ＲＭＳＩの候補サブキャリア間隔が制限されない点である。この場合に、指示情報Ｉ０は３つの情報ビットを含み、ＲＭＳＩのサブキャリア間隔及びＰＲＢグリッドＤ１とＰＲＢグリッドＤ２との間の相対位置を示すために使用され、このとき、相対位置は、周波数領域オフセット又は、ＰＲＢグリッドＤ２におけるＰＲＢグリッドＤ１のプリセットされた境界の位置であってよい。
【０１５７】
異なったＳＳのサブキャリア間隔Ｓ１について、指示情報Ｉ０の値の説明は異なる。Ｓ１が１５ｋＨｚであるとき、指示情報Ｉ０の意味は、以下で表９に示される：
【表７】
2020530743.tif 000009
【０１５８】
Ｓ２が３０ｋＨｚであるとき、表中の候補位置は、図２５（１）に図示され得、夫々位置０及び位置１である。候補位置０が位置０であってよく、候補位置１が位置１であってよく、あるいは、候補位置０が位置１であってよく、候補位置１が位置０であってよい。Ｓ２が６０ｋＨｚであるとき、表中の候補位置は、図２６に図示され得、夫々位置０乃至３である。候補位置０が位置０であってよく、候補位置１が位置１であってよく、候補位置２が位置２であってよく、候補位置３が位置３であってよい。確かに、候補位置０乃至３は、代替的に、他の形態において図２６の位置０乃至３に対応してよく、これは本願で制限されない。
【０１５９】
上記の位置は、以下で表１０又は表１１に示されるように、周波数領域オフセットを使用することによって示されてもよい：
【表８】
2020530743.tif 000010
【０１６０】
Ｓ１が３０ｋＨｚであるとき、指示情報Ｉ０の意味は、以下で表１２に示される。
【表９】
2020530743.tif 000011
【０１６１】
Ｓ２が６０ｋＨｚであるとき、表中の候補位置は、図２５（２）に図示され得、夫々位置０及び位置１である。候補位置１が位置０であってよく、候補位置２が位置１であってよく、あるいは、候補位置１が位置１であってよく、候補位置２が位置０であってよい。
【０１６２】
上記の位置は、以下で表１３又は表１４に示されるように、周波数領域オフセットを使用することによって示されてもよい：
【表１０】
2020530743.tif 000012
【０１６３】
表中のオフセットは、ＰＲＢグリッドＤ１の境界Ｂ１又はＢ２からＰＲＢグリッドＤ２へのオフセットである。周波数領域オフセット方向は、低周波領域位置から高周波領域位置へオフセットすることとして予め定義されても、又は高周波領域位置から低周波領域位置へオフセットすることとして予め定義されてもよく、あるいは、１ビットがオフセット方向を示すために使用される。オフセットの単位は、代替的に、サブキャリアの数量であってもよく、１つのＰＲＢは１２個のサブキャリアに対応する。
【０１６４】
解決法６：ＲＭＳＩのサブキャリア間隔は制限され、余分のビットを加えずにＲＭＳＩのＰＲＢグリッドを示すためにＲＭＳＩの指示情報を再利用する。
【０１６５】
ＲＭＳＩの指示情報は、ＲＭＳＩのサブキャリア間隔を示すために使用される。異なった搬送波周波数帯域は、有限なサブキャリア間隔集合をサポートする。例えば、６ＧＨｚを下回る搬送波周波数帯域では、｛１５，３０，６０｝ｋＨｚがサポートされ、６ＧＨｚを上回る搬送波周波数帯域では、｛１２０，２４０｝ｋＨｚがサポートされる。従って、ネットワークデバイスがＲＭＳＩのサブキャリア間隔Ｓ２を端末デバイスに示す場合に、要件は、２つの情報ビットを使用することによって満足され得る。この解決法では、サブキャリア間隔Ｓ２の候補集合を制限することによって、データサブキャリア間隔Ｓ２に対応するＰＲＢグリッドＤ２は、ビットを加えることなしに端末に通知される。
【０１６６】
ＳＳのサブキャリア間隔Ｓ１が１５ｋＨｚであるとき、サブキャリア間隔Ｓ２の候補集合は｛１５，３０｝ｋＨｚに制限され、それから、ネットワークデバイスは、指示情報Ｉ０をＰＢＣＨで端末へ送り、端末は、指示情報Ｉ０及びサブキャリア間隔Ｓ１に対応するＰＲＢグリッドＤ１に基づき、サブキャリア間隔Ｓ２に対応するＰＲＢグリッドＤ２を決定する。指示情報Ｉ０の具体的なビット情報は、以下で表１５に示される：
【表１１】
2020530743.tif 000013
【０１６７】
Ｓ２が３０ｋＨｚであるとき、表中の候補位置は、図２５（１）に図示され得、夫々位置０及び位置１である。候補位置１が位置０であってよく、候補位置２が位置１であってよく、あるいは、候補位置１が位置１であってよく、候補位置２が位置０であってよい。
【０１６８】
上記の位置は、以下で表１６又は表１７に示されるように、周波数領域オフセットを使用することによって示されてもよい：
【表１２】
2020530743.tif 000014
【０１６９】
ＳＳブロックのサブキャリア間隔Ｓ１が３０ｋＨｚであるとき、指示情報Ｉ０の具体的なビット情報は、以下で表１８に示される：
【表１３】
2020530743.tif 000015
【０１７０】
Ｓ２が６０ｋＨｚであるとき、表中の候補位置は、図２５（２）に図示され得、夫々位置０及び位置１である。候補位置１が位置０であってよく、候補位置２が位置１であってよく、あるいは、候補位置１が位置１であってよく、候補位置２が位置０であってよい。
【０１７１】
上記の位置は、以下で表１９又は表２０に示されるように、周波数領域オフセットを使用することによって示されてもよい：
【表１４】
2020530743.tif 000016
【０１７２】
表中のオフセットは、（サブキャリア間隔Ｓ１に対応する）ＰＲＢグリッドＤ１の境界Ｂ１又はＢ２から（サブキャリア間隔Ｓ２に対応する）ＰＲＢグリッドＤ２へのオフセットである。周波数領域オフセット方向は、低周波領域位置から高周波領域位置へオフセットすることとして予め定義されても、又は高周波領域位置から低周波領域位置へオフセットすることとして予め定義されてもよく、あるいは、１ビットがオフセット方向を示すために使用される。オフセットの単位は、代替的に、サブキャリアの数量であってもよく、１つのＰＲＢは１２個のサブキャリアに対応する。
【０１７３】
任意に、ネットワークデバイスは、ＲＭＳＩ又はＲＲＣメッセージにおいて、搬送波周波数帯域によってサポートされる最大サブキャリア間隔に対応するＰＲＢグリッドを通知してもよい。
【０１７４】
端末がＲＭＳＩを受信した後、ネットワークデバイスは、少なくとも１つの搬送波周波数帯域によってサポートされる最大サブキャリア間隔Ｓ３に対応するＰＲＢグリッドを示すために、ＲＭＳＩ又は上位レイヤシグナリング、例えば、ＲＲＣメッセージにおいて指示情報を送信してよく、このとき、サブキャリア間隔は、データ及び／又は制御情報を送るために使用されるサブキャリア間隔であってよい。例えば、６ＧＨｚを下回る周波数帯域では、６０ｋＨｚのＰＲＢグリッドが示され、６ＧＨｚを上回る周波数帯域では、ＳＳの候補サブキャリア間隔は｛１２０，２４０｝ｋＨｚであり、データ及び／又は制御情報に使用されるサブキャリア間隔の候補集合は｛６０，１２０｝ｋＨｚであり、データ及び／又は制御情報に使用されるサブキャリア間隔はＳＳのサブキャリア間隔よりも大きくないので、６ＧＨｚを上回る周波数帯域では、指示は不要である。
【０１７５】
指示情報は、サブキャリア間隔Ｓ３に対応するＰＲＢグリッドと既知のＰＲＢグリッドとの間の周波数領域オフセットを示す。既知のＰＲＢグリッドは、サブキャリア間隔Ｓ１に対応するＰＲＢグリッドであってよく、サブキャリア間隔Ｓ１は、ＳＳのサブキャリア間隔であってよく、あるいは、ＳＳのサブキャリア間隔と同じであって、データ及び／又は制御情報伝送に使用されるサブキャリア間隔であってもよい。代替的に、既知のＰＲＢグリッドは、ＲＭＳＩのサブキャリア間隔に対応するＰＲＢグリッド、又は他の既知のサブキャリア間隔に対応するＰＲＢグリッドであってもよい。“既知”は、ネットワークデバイス及び端末が一致した理解を有していることを意味する。
【０１７６】
任意に、指示情報は２つの情報ビットを含んでよい。すなわち、２つの情報ビットは、搬送波周波数帯域によってサポートされる最大サブキャリア間隔に対応するＰＲＢグリッドを示すために使用されてよい。例えば、既知のＰＲＢグリッドは、ＳＳのサブキャリア間隔と同じであって、データ伝送に使用されるサブキャリア間隔に対応するＰＲＢグリッドとして予め定義される。ＳＳのサブキャリア間隔が１５ｋＨｚである場合に、“００”は、周波数領域オフセットが０であることを示し、“０１”は、周波数領域オフセットがＰＲＢの１／４又は３つのサブキャリアであることを示し、“１０”は、周波数領域オフセットがＰＲＢの１／２又は６つのサブキャリアであることを示し、“１１”は、周波数領域オフセットがＰＲＢの３／４又は９つのサブキャリアであることを示し、このとき、ＰＲＢ又はサブキャリアに対応するサブキャリア間隔は、現在の搬送波周波数帯域によってサポートされる最大サブキャリア間隔である。代替的に、“００”は、周波数領域オフセットが０であることを示し、“０１”は、周波数領域オフセットが１つのＰＲＢ又は１２個のサブキャリアであることを示し、“１０”は、周波数領域オフセットが２つのＰＲＢ又は２４個のサブキャリアであることを示し、“１１”は、周波数領域オフセットが３つのＰＲＢ又は３６個のサブキャリアであることを示し、このとき、ＰＲＢ又はサブキャリアに対応するサブキャリア間隔は、ＳＳのサブキャリア間隔である。
【０１７７】
ＳＳのサブキャリア間隔が３０ｋＨｚであるとき、“００”は、周波数領域オフセットが０であることを示し、“０１”は、周波数領域オフセットがＰＲＢの半分又は６個のサブキャリアであることを示し、このとき、ＰＲＢ又はサブキャリアに対応するサブキャリア間隔は、現在の搬送波周波数帯域によってサポートされる最大サブキャリア間隔である。代替的に、“００”は、周波数領域オフセットが０であることを示し、“０１”は、周波数領域オフセットが１つのＰＲＢ又は１２個のサブキャリアであることを示し、このとき、ＰＲＢ又はサブキャリアに対応するサブキャリア間隔は、ＳＳのサブキャリア間隔と同じである。
【０１７８】
周波数領域オフセット方向は、サブキャリア間隔Ｓ１に対応するＰＲＢグリッドのプリセットされた境界の位置が低周波領域位置から高周波領域位置へオフセットすることとして予め定義されても、又はサブキャリア間隔Ｓ１に対応するＰＲＢグリッドのプリセットされた境界の位置が高周波領域位置から低周波領域位置へオフセットすることとして予め定義されてもよく、あるいは、１ビットがオフセット方向を示すために使用される。
【０１７９】
上記の解決法では、ＳＳのサブキャリア間隔は、ＳＳブロックのサブキャリア間隔である。
【０１８０】
任意に、上記の解決法におけるプリセットされた境界は、図２５のＢ１又は図２６のＢ２のような、ＳＳブロックの中心周波数が特定のサブキャリア数だけ低周波領域位置又は高周波領域位置へオフセットした後に、ＳＳブロックのサブキャリア間隔に対応するデータ及び／又は制御情報のＰＲＢグリッドと整列される境界であってよい。
【０１８１】
図１５は、本願の実施形態に従う端末によってネットワークに最初にアクセスする概略図である。図１５に示されるように、端末がネットワークに最初にアクセスするプロセスは、次のステップを含む。
【０１８２】
Ｓ１５１．ネットワークデバイスは、ＳＳ及びＰＢＣＨを含むＳＳブロックを送信する。すなわち、ネットワークデバイスはＳＳを送信し、ＰＢＣＨで情報をブロードキャストする。
【０１８３】
Ｓ１５２．端末はＳＳを検出し、ＳＳが検出されると、ＳＳの中心周波数及びＳＳのサブキャリア間隔に基づきＰＢＣＨの周波数領域位置を決定する。例えば、ＳＳの中心周波数を中心とする２４個のＰＲＢが、ＰＢＣＨの周波数領域位置であり、それらのＰＲＢに対応するサブキャリア間隔が、ＳＳのサブキャリア間隔である。このようにして、端末は、ＰＢＣＨの周波数領域位置でＰＢＣＨ上の情報を受信することができる。
【０１８４】
Ｓ１５４．ネットワークデバイスはＲＭＳＩを送信する。
【０１８５】
Ｓ１５５．端末はＲＭＳＩを受信し、このとき、ＰＢＣＨ上の情報は、ＲＭＳＩのスケジューリング情報の周波数領域位置に関する情報を含み、端末は、ＰＢＣＨ上の情報に基づきＲＭＳＩのスケジューリング情報の周波数領域位置を決定して、その周波数領域位置に基づきＲＭＳＩのスケジューリング情報を受信し得る。ＲＭＳＩのスケジューリング情報は、ＲＭＳＩが位置している周波数領域位置を示すために使用され、端末は、ＲＭＳＩのスケジューリング情報に基づきＲＭＳＩを受信する。
【０１８６】
ＰＢＣＨ上の情報は、ダウンリンク制御チャネルのリソース情報を含み、ダウンリンク制御チャネルのリソースは、例えば、制御リソースセット（control  resource  set，ＣＯＲＥＳＥＴ）である。リソース情報は、ＣＯＲＥＳＥＴの周波数領域位置を示すために使用される周波数領域指示情報であってよい。例えば、リソース情報は、ＣＯＲＥＳＥＴオフセット指示情報と、ＣＯＲＥＳＥＴのサイズとを含む。ＣＯＲＥＳＥＴオフセット指示情報は、基準点に対するＣＯＲＥＳＥＴの周波数領域オフセットを示すために使用される。基準点は、ＳＳ（又はＳＳブロック）の最低の、中央の、又は最高の周波数領域位置であってよい。ＣＯＲＥＳＥＴオフセットの値は、基準点に対するＣＯＲＥＳＥＴの最低の、中央の、又は最高の周波数領域位置の周波数領域オフセット値である。ＣＯＲＥＳＥＴは、端末が制御情報、例えば、物理ダウンリンク制御チャネル（physical  downlink  control  channel，ＰＤＣＣＨ）で運ばれる情報、に対してブラインド検出を実行するために使用され、ここで、ＰＤＣＣＨは共通探索空間を含み、共通探索空間は、例えば、ＲＭＳＩのスケジューリング情報を含む公衆情報を運ぶために使用される。端末は、ＣＯＲＥＳＥＴの位置を取得し、それからＣＯＲＥＳＥＴの位置に基づきダウンリンク制御情報を検出して、ＲＭＳＩのスケジューリング情報を取得し、そして、ＲＭＳＩのスケジューリング情報に基づき、ＲＭＳＩが位置しているリソース位置を知り、ＲＭＳＩを受信する。ＲＭＳＩは、ランダムアクセスのリソース情報を含む。端末がＲＭＳＩを受信した後、ランダムアクセスプロセス（Ｓ１５６）が開始し得る。
【０１８７】
上記のプロセスで、ＰＢＣＨにおけるＲＭＳＩのスケジューリング情報の周波数領域位置に関する情報が、オフセットされるＰＲＢの数量であり、それらのＰＲＢに対応するサブキャリア間隔が、ＳＳのサブキャリア間隔である場合に、ＣＯＲＥＳＥＴの、この方法で暗黙的に取得された最低周波数領域位置は、ＣＯＲＥＳＥＴに対応するＰＲＢグリッド境界と整列される。
【０１８８】
例えば、最初のアクセスプロセスで、ＲＭＳＩのサブキャリア間隔は３０ｋＨｚであり、ＳＳのサブキャリア間隔は１５ｋＨｚである。ＣＯＲＥＳＥＴの周波数領域位置が示されるとき、ＣＯＲＥＳＥＴの中心周波数の位置とＳＳの中心周波数の位置との間のオフセット値が７ＰＲＢでありかつＣＯＲＥＳＥＴのサイズが１０ＰＲＢであることを示すために、１５ｋＨｚＰＲＢが粒度として使用される。この場合に、端末は、ＣＯＲＥＳＥＴの１０ＰＲＢの最低周波数領域位置が３０ｋＨｚＰＲＢグリッド境界と整列されると考え得る。
【０１８９】
広帯域搬送波（wideband  CCとも呼ばれるwider  BW  CC）の概念が、ＮＲ通信システムに導入される。広帯域搬送波は、搬送波帯域幅（bandwidth，ＢＷ）がプリセットされた帯域幅以上である搬送波であり、プリセットされた帯域幅は、例えば、１００ＭＨｚである。異なった端末は、異なったＳＳ（又はＳＳブロック）を使用することによって、広帯域搬送波にアクセスすることを可能にされ得る。ここでの異なったＳＳは、異なった周波数領域位置を有しており、すなわち、異なった周波数領域位置で送られるＳＳである。すなわち、広帯域搬送波で、ネットワークデバイスは複数のＳＳブロックを送信してよく、各ＳＳブロックのＳＳは、１以上の端末が搬送波にアクセスすることを可能にしてよく、異なった端末は、異なったＳＳブロックのＳＳを使用することによって搬送波にアクセスしてよい。この場合に、異なった端末がＰＢＣＨのリソースを決定するとき、ＰＲＢのグリッドは互いに整列されない。
【０１９０】
図１６は、本願の実施形態に従って広帯域搬送波で異なるＳＳを送信する概略図である。第１ＳＳは位置１６１で送信され、第２ＳＳは位置１６２で送信され、位置１６２はＰＲＢグリッドの境界と整列されないと仮定される。そのため、位置１６２でＳＳを検出する端末によるＰＲＢグリッドの理解は、位置１６１でＳＳを検出する端末によるＰＲＢグリッドの理解と一致しない。従って、異なったＳＳを通じて搬送波にアクセスしようとしている全ての端末が搬送波にアクセス可能であることは、保証され得ない。例えば、位置１６２でＳＳを検出する端末は、ＰＢＣＨのリソース位置を正確に決定することができず、それ故に、搬送波にアクセスすることができない。図１７に示される場合が、説明のために一例として使用される。
【０１９１】
図１７は、本願の実施形態に従って異なるＳＳを使用することによって異なる端末によって同じ搬送波にアクセスする概略図である。図１７において、説明は、ＳＳラスタのサイズが１００ｋＨｚでありかつＰＲＢのサブキャリア間隔が１５ｋＨｚであるところの例を使用することによって与えられる。ネットワークデバイスは、図１７のＳＳラスタの位置１７１で第１ＳＳを送信し、図１７のＳＳラスタの位置１７２で第２ＳＳを送信する。端末１７３及び端末１７４は、ＳＳラスタに基づきＳＳを検出する。端末１７３は、ＰＢＣＨのリソース位置を決定するために、ＳＳラスタの位置１７１で第１ＳＳを検出し、第１ＳＳの中心周波数に基づきＰＲＢグリッド（grid）を決定する。端末１７４は、ＰＢＣＨのリソース位置を決定するために、ＳＳラスタの位置１７２で第２ＳＳを検出し、第２ＳＳの中心周波数に基づきＰＲＢグリッドを決定する。しかし、ＳＳラスタの位置１７１で決定されたＰＲＢグリッドが端末１７４のための基準として使用される場合には、ＰＲＢグリッドのずれが起こる可能性がある。図１７に示されるように、端末１７３及び端末１７４によって決定されるＰＲＢグリッド境界は互いと整列されない。端末１７３及び端末１７４は、ＰＲＢグリッドの理解が一致していないことが知られ得る。そのため、ＰＲＢグリッドの理解が一致していない端末及びネットワークが必然的に存在する。例えば、端末が端末１７４である場合に、端末１７４は、ＰＢＣＨのリソース位置を正確に決定することができず、そのために、端末１７４は、ＭＩＢを正確に受信することができず、その結果として、搬送波にアクセスすることができない。
【０１９２】
上記の問題を鑑みて、本願の実施形態は、異なったＳＳの中心周波数間の周波数オフセットが、ＳＳラスタのサイズとＰＲＢのサイズとの最小公倍数の正の整数倍であるように、通信方法を提供する。このようにして、ＳＳの中心周波数に基づきＰＲＢグリッドを決定するとき、異なったＳＳを使用することによって同じ搬送波にアクセスする端末は、ＰＲＢグリッドの一致した理解を有しており、搬送波にアクセスするためにＭＩＢを正確に受信することができる。以下は、添付の図面を参照して記載される。
【０１９３】
図１８は、本願の実施形態に従う通信方法の概略図である。方法は、次の問題を解決するために使用される：異なったＳＳを使用することによって同じ搬送波にアクセスするために、異なった端末は、ＰＲＢグリッドの理解が一致しておらず、その結果として、一部の端末は搬送波にアクセスすることができない。図１８に示されるように、方法は、次のステップを含む。
【０１９４】
Ｓ１８１．ネットワークデバイスは搬送波で第１ＳＳを送信し、このとき、第１ＳＳの中心周波数は、ＳＳラスタの第１の位置にある。
【０１９５】
Ｓ１８２．送信されるべき第２ＳＳがあるとき、ネットワークデバイスは搬送波で第２ＳＳを送信し、このとき、第２ＳＳの中心周波数は、ＳＳラスタの第２の位置にある。
【０１９６】
ネットワークデバイスが同じ搬送波でＳＳを送信するとき、同じサブキャリア間隔が使用される。すなわち、第１ＳＳ及び第２ＳＳは、同じサブキャリア間隔を使用することによって送信される。更に、第２の位置と第１の位置との間の周波数オフセットは、ＳＳラスタのサイズとＰＲＢのサイズとの最小公倍数の正の整数倍であり、このとき、ＰＲＢのサイズは、第１ＳＳ及び第２ＳＳを送信するために使用されるサブキャリア間隔（まとめて、ＳＳのサブキャリア間隔と呼ばれる。）と、ＰＲＢに含まれるサブキャリアの数量との積である。すなわち、第２ＳＳが送信される必要があるとき、ネットワークデバイスは、ＳＳラスタの次の位置で第２ＳＳを直接送信せずに、あるいは、ＳＳラスタの位置をランダムに選択することによって第２ＳＳを送信せずに、第２の位置で第２ＳＳを送信し、このとき、第２の位置と第１の位置との間の周波数オフセットは、プリセットされた条件を満たす。プリセットされた条件は、ＳＳラスタのサイズ及びＳＳのサブキャリア間隔に関係がある。すなわち、第２の位置と第１の位置との間の周波数オフセットは、ＳＳラスタのサイズとＰＲＢのサイズとの最小公倍数の正の整数倍であり、このとき、ＰＲＢのサイズはサブキャリア間隔に関係がある。
【０１９７】
Ｓ１８３．端末は、ＳＳラスタに基づきＳＳを検出する。
【０１９８】
ＳＳが検出されると、端末は、システム情報を取得する（Ｓ１８４）ために、ＳＳに基づきセルとのダウンリンク同期を達成し、それから、ランダムアクセスプロセス（Ｓ１８５）を開始するために、システム情報に基づきランダムアクセスを開始する。
【０１９９】
上記のステップＳ１８１で、ネットワークデバイスは第１ＳＳブロックを送信し、このとき、第１ＳＳブロックは第１ＳＳ及び第１ＰＢＣＨを含み、第１ＳＳはＰＳＳ及びＳＳＳを含む。すなわち、ネットワークデバイスは第１ＳＳを送信し、第１ＰＢＣＨで情報をブロードキャストする。周波数領域において、第１ＳＳの中心周波数及び第１ＰＢＣＨの中心周波数は、ＳＳラスタの第１の位置にある。時間領域において、ネットワークデバイスは周期的に第１の位置で第１ＳＳを送信し、第１ＰＢＣＨで情報をブロードキャストする。
【０２００】
上記のステップＳ１８２で、ネットワークデバイスは第２ＳＳブロックを送信し、このとき、第２ＳＳブロックは第２ＳＳ及び第２ＰＢＣＨを含み、第２ＳＳはＰＳＳ及びＳＳＳを含む。すなわち、ネットワークデバイスは第２ＳＳを送信し、第２ＰＢＣＨで情報をブロードキャストする。第１ＳＳのＰＳＳ／ＳＳＳ及び第２ＳＳのＰＳＳ／ＳＳＳは、同じＳＳシーケンスであってよいが、異なった周波数領域位置を有している。周波数領域において、第２ＳＳの中心周波数及び第２ＰＢＣＨの中心周波数は、ＳＳラスタの第２の位置にある。時間領域において、ネットワークデバイスは周期的に第２の位置で第２ＳＳを送信し、第２ＰＢＣＨで情報をブロードキャストしてよい。
【０２０１】
端末が搬送波にアクセスするために搬送波上に複数のＳＳが存在するとき、異なったＳＳに基づき異なった端末によって決定されたＰＲＢグリッドが互いと整列されることを可能にするために、すなわち、端末がＰＲＢグリッドの一致した理解を有することを可能にするために、上記の実施形態では、異なったＳＳの中心周波数間の周波数オフセット（すなわち、第２の位置と第１の位置との間の周波数オフセット）は、ＳＳラスタのサイズとＰＲＢのサイズとの最小公倍数の正の整数倍に制限される。以下は、異なるサイズのＳＳラスタ及び異なるサイズのサブキャリア間隔の例を使用することによって記載される。
【０２０２】
図１９は、本願の実施形態に従って異なるＳＳを使用することによって異なる端末によって同じ搬送波にアクセスする概略図である。ＳＳラスタのサイズは１００ｋＨｚでありかつＳＳのサブキャリア間隔は１５ｋＨｚであるとすると、ＰＲＢのサイズは１５×１２ｋＨｚ、すなわち、１８０ｋＨｚである。１００と１８０との最小公倍数は９００であり、搬送波における異なったＳＳの中心周波数（又はＳＳが位置しているＳＳラスタの位置）間の周波数オフセットは、９００×ｎｋＨｚであり、ここで、ｎは正の整数である。この場合に、ＳＳラスタの第１の位置１９１からＳＳを検出する端末１９３、及びＳＳラスタの第２の位置１９２からＳＳを検出する端末１９４は、ＰＲＢグリッドの一致した理解を有している。従って、端末１９３及び端末１９４は両方とも、搬送波にアクセスするためにＭＩＢを正確に受信することができる。
【０２０３】
ＳＳラスタのサイズは１００ｋＨｚでありかつＳＳのサブキャリア間隔は３０ｋＨｚであるとすると、ＰＲＢのサイズは３０×１２ｋＨｚ、すなわち、３６０ｋＨｚである。１００と３６０との最小公倍数は１８００であり、搬送波における異なったＳＳの中心周波数（又はＳＳが位置しているＳＳラスタの位置）間の周波数オフセットは、１８００×ｎｋＨｚであり、ここで、ｎは正の整数である。
【０２０４】
ＳＳラスタのサイズは１８０ｋＨｚでありかつＳＳのサブキャリア間隔は１５ｋＨｚであるとすると、ＰＲＢのサイズは１５×１２ｋＨｚ、すなわち、１８０ｋＨｚである。搬送波における異なったＳＳの中心周波数（又はＳＳが位置しているＳＳラスタの位置）間の周波数オフセットは、１８０×ｎｋＨｚであり、ここで、ｎは正の整数である。この場合、ＰＲＢのサイズはＳＳラスタのサイドと同じである。従って、最小公倍数は１８０ｋＨｚである。また、異なったＳＳの中心周波数間の周波数オフセットを制限する必要はないことも理解され得るし、ネットワークデバイスは、ＳＳラスタのいずれかの２つの位置でＳＳを送信することができる。ＳＳラスタのサイズが１８０ｋＨｚであるときに、ＳＳのサブキャリア間隔は３０ｋＨｚであるとすると、ＰＲＢのサイズは３０×１２ｋＨｚ、すなわち、３６０ｋＨｚである。１８０と３６０との最小公倍数は３６０であり、搬送波における異なったＳＳの中心周波数（又はＳＳが位置しているＳＳラスタの位置）間の周波数オフセットは、３６０×ｎｋＨｚであり、ここで、ｎは正の整数である。
【０２０５】
ＳＳラスタのサイズは７２０ｋＨｚでありかつＳＳのサブキャリア間隔は１２０ｋＨｚであるとすると、ＰＲＢのサイズは１２０×１２ｋＨｚ、すなわち、１４４０ｋＨｚである。７２０と１４４０との最小公倍数は１４４０であり、搬送波における異なったＳＳの中心周波数（又はＳＳが位置しているＳＳラスタの位置）間の周波数オフセットは、１４４０×ｎｋＨｚであり、ここで、ｎは正の整数である。ＳＳラスタのサイズが７２０ｋＨｚであるときに、ＳＳのサブキャリア間隔は２４０ｋＨｚであるとすると、ＰＲＢのサイズは２４０×１２ｋＨｚ、すなわち、２８８０ｋＨｚである。７２０と２８８０との最小公倍数は２８８０であり、搬送波における異なったＳＳの中心周波数（又はＳＳが位置しているＳＳラスタの位置）間の周波数オフセットは、２８８０×ｎｋＨｚであり、ここで、ｎは正の整数である。
【０２０６】
上記は、ＳＳラスタのサイズ及びサブキャリア間隔のサイズの複数の例を挙げ、対応するサイズの場合に異なるＳＳの中心周波数間の周波数オフセットによって満足される条件について記載する。それらの例は、単に、この実施形態の理解を容易にすることを目的とし、本願を制限する意図はない。当業者であれば、上記の実施形態に基づいて、ＳＳラスタ及びサブキャリア間隔の様々な組み合わせによるＳＳ送信を実装可能である。
【０２０７】
上記のステップＳ１８３で、いくつかの端末は第１の位置でＳＳを検出してよく、いくつかの端末は第２の位置でＳＳを検出してよい。第１の位置でＳＳを検出する端末は第１の端末であると仮定され、このとき、１以上の第１の端末が存在してもよく、第２の位置でＳＳを検出する端末は第２の端末であると仮定され、このとき、１以上の第２の端末が存在してもよい。
【０２０８】
上記のステップＳ１８４で、端末によって取得されるシステム情報は、ＭＩＢ及びＲＭＳＩを含んでよい。端末が第１の端末であるとき、第１の端末は、ＳＳラスタの第１の位置で第１ＳＳを検出し、第１ＳＳに基づき第１ＰＢＣＨのリソース位置、例えば、第１ＳＳの中心周波数を中心とする２４個のＰＲＢを決定し、それから、第１ＰＢＣＨで、ネットワークデバイスによって送信された第１ＭＩＢを受信する。端末が第２の端末であるとき、第２の端末は、ＳＳラスタの第２の位置で第２ＳＳを検出し、第２ＳＳに基づき第２ＰＢＣＨのリソース位置、例えば、第２ＳＳの中心周波数を中心とする２４個のＰＲＢを決定し、それから、第２ＰＢＣＨで、ネットワークデバイスによって送信された第２ＭＩＢを受信する。
【０２０９】
上記のＭＩＢのいずれか１つは、リソース情報を含んでよく、リソース情報は、ＲＭＳＩスケジューリング情報が位置している制御チャネルのリソース位置を示すために使用される。端末がＭＩＢを正確にパースした後、端末は、ＭＩＢ内のリソース情報に基づき、ネットワークデバイスによって送信されたＲＭＳＩスケジューリング情報を受信し、それからＲＭＳＩスケジューリング情報に基づきＲＭＳＩを受信し、搬送波にアクセスするためにＲＭＳＩに基づきランダムアクセスを開始する。
【０２１０】
実施において、ダウンリンク制御チャネルのリソース情報は、ＰＢＣＨで運ばれ、ダウンリンク制御チャネルのリソースは、例えば、制御リソースセット（control  resource  set，ＣＯＲＥＳＥＴ）である。リソース情報は、ＣＯＲＥＳＥＴの周波数領域位置を示すために使用される周波数領域指示情報であってよい。任意に、リソース情報は、ＣＯＲＥＳＥＴオフセット値と、ＣＯＲＥＳＥＴのサイズとを含む。ＣＯＲＥＳＥＴオフセット値は、基準点に対するＣＯＲＥＳＥＴの周波数オフセットを示すために使用される。基準点は、ＳＳ（又はＳＳブロック）の最低の、中央の、又は最高の周波数領域位置であってよい。ＣＯＲＥＳＥＴオフセット値は、基準点に対するＣＯＲＥＳＥＴの最低の、中央の、又は最高の周波数領域位置の周波数オフセットである。ＣＯＲＥＳＥＴは、端末が制御情報、例えば、物理ダウンリンク制御チャネル（physical  downlink  control  channel，ＰＤＣＣＨ）で運ばれる情報、に対してブラインド検出を実行するために使用され、ここで、ＰＤＣＣＨは共通探索空間を含み、共通探索空間は、例えば、ＲＭＳＩのスケジューリング情報を含む公衆情報を運ぶために使用される。端末は、ＭＩＢに基づきＣＯＲＥＳＥＴの位置を取得し、それからＣＯＲＥＳＥＴの位置に基づきダウンリンク制御情報を検出して、ＲＭＳＩのスケジューリング情報を取得し、そして、ＲＭＳＩのスケジューリング情報に基づき、ＲＭＳＩが位置しているリソース位置を知り、ＲＭＳＩを受信する。端末がＲＭＳＩを受信した後、ランダムアクセスプロセスが開始し得る。
【０２１１】
例えば、第１の端末は、第１ＭＩＢ内の第１リソース情報に基づき、第１ＲＭＳＩスケジューリング情報が位置している制御チャネルのリソース位置を決定する。それから、第１の端末は、制御チャネルで第１ＲＭＳＩスケジューリング情報を受信し、第１ＲＭＳＩスケジューリング情報に基づき、第１ＲＭＳＩが位置しているリソース位置を決定し、決定されたリソース位置で第１ＲＭＳＩを受信する。同様に、第２の端末は、第２ＭＩＢ内の第２リソース情報に基づき、第２ＲＭＳＩスケジューリング情報が位置している制御チャネルのリソース位置を決定する。それから、第２の端末は、制御チャネルで第２ＲＭＳＩスケジューリング情報を受信し、第２ＲＭＳＩスケジューリング情報に基づき、第２ＲＭＳＩが位置しているリソース位置を決定し、決定されたリソース位置で第２ＲＭＳＩを受信する。
【０２１２】
端末が搬送波にアクセスするとき、最初にＳＳがブラインド検出され、検出されたＳＳに基づき、ＰＢＣＨの周波数領域位置が決定され、そして、決定された周波数領域位置において、ＰＢＣＨで運ばれるＭＩＢが受信されることが知られ得る。ＭＩＢは、ダウンリンク制御情報を送信するために使用されるＣＯＲＥＳＥＴに関する情報を含む。端末は、情報に基づきＣＯＲＥＳＥＴの周波数領域位置を決定し、それから、決定された周波数領域位置において、ＰＤＣＣＨで運ばれる制御情報を受信する。制御情報は、ＲＭＳＩのスケジューリング情報を含み、端末は、ＲＭＳＩのスケジューリング情報に基づき、物理ダウンリンク共有チャネル（physical  downlink  shared  channel，ＰＤＳＣＨ）でのＲＭＳＩの周波数領域位置を決定する。更に、端末は、決定された周波数領域位置でＲＭＳＩを受信することができる。ＲＭＳＩは、ランダムアクセス情報を運んでよく、端末は、ＲＭＳＩに基づきランダムアクセスを開始してよい。
【０２１３】
上記の実施形態では、ＳＳラスタのサイズ及びＳＳのサブキャリア間隔が、異なったＳＳの中心周波数間の周波数オフセットを決定し、あるいは、換言すれば、ＳＳラスタのサイズ及びＳＳのサブキャリア間隔が、異なったＳＳが送信されるＳＳラスタの位置間の周波数オフセットを決定する。本願のこの実施形態で提供される他の実施では、ＳＳラスタのサイズ及びＳＳのサブキャリア間隔は、搬送波周波数に従って決定され、ＳＳラスタのサイズは、ＳＳのサブキャリア間隔に対応するＰＲＢのサイズの正の整数倍である。このようにして、異なったＳＳが送信されるＳＳラスタ位置にかかわらず、異なったＳＳを検出する端末は、ＰＲＢグリッドの一致した理解を有している。従って、異なったＳＳを使用することによって同じ搬送波にアクセスする端末は、上記の周波数領域位置制限様態を使用せずに、システム情報を正確に受信し、搬送波にアクセスすることができる。
【０２１４】
図２０は、本願の実施形態に従う他の通信方法の概略図である。方法は、次の問題を解決するために使用される：異なったＳＳを使用することによって同じ搬送波にアクセスするために、異なった端末は、ＰＲＢグリッドの理解が一致しておらず、その結果として、一部の端末は搬送波にアクセスすることができない。図２０に示されるように、方法は、次のステップを含む。
【０２１５】
Ｓ２０１．ネットワークデバイスは、搬送波の周波数に基づき、ＳＳラスタのサイズ及びＳＳのサブキャリア間隔を決定する。
【０２１６】
Ｓ２０２．ネットワークデバイスは、決定されたサブキャリア間隔を使用することによって、搬送波でＳＳを送信し、このとき、ＳＳの中心周波数はＳＳラスタの位置にあり、ＳＳラスタの２つの隣接した位置の間の距離は、ＳＳラスタの決定されたサイズである。
【０２１７】
相応して、図２１は、本願の実施形態に従う他の通信方法の概略図である。方法は、次の問題を解決するために使用される：異なったＳＳを使用することによって同じ搬送波にアクセスするために、異なった端末は、ＰＲＢグリッドの理解が一致しておらず、その結果として、一部の端末は搬送波にアクセスすることができない。図２１に示されるように、方法は、次のステップを含む。
【０２１８】
Ｓ２１１．端末は、搬送波の周波数に基づき、ＳＳラスタのサイズ及びＳＳのサブキャリア間隔を決定し、このとき、ＳＳラスタのサイズは、ＰＲＢのサイズの正の整数倍であり、ＰＲＢのサイズは、ＳＳのサブキャリア間隔とＰＲＢに含まれているサブキャリアの数量との積である。
【０２１９】
Ｓ２１２．端末は、ＳＳのサブキャリア間隔を使用することによってＳＳラスタに基づき搬送波でＳＳを検出し、このとき、ＳＳラスタの２つの隣接した位置の間の距離は、ＳＳラスタの決定されたサイズであり、ＳＳの中心周波数はＳＳラスタの位置にある。
【０２２０】
任意に、上記の実施形態において、ＳＳラスタのサイズは、ＳＳのサブキャリア間隔に対応するＰＲＢのサイズに等しい。例えば、以下の表２は、いくつかの搬送波周波数でのＳＳのサブキャリア間隔のサイズ及びＳＳラスタのサイズを示す。異なったＳＳが送信されるＳＳラスタ位置にかかわらず、異なったＳＳを検出する端末は、ＰＲＢグリッドの一致した理解を有している。従って、異なったＳＳを使用することによって同じ搬送波にアクセスする端末は、上記の周波数領域位置制限様態を使用せずに、システム情報を正確に受信し、搬送波にアクセスすることができる。
【表１５】
2020530743.tif 000017
【０２２１】
図１８、図２０、及び図２１に示される実施形態は、上記の実施形態と組み合わされてよい。具体的に言えば、異なったＳＳの送信が搬送波上でサポートされる場合に、上記の方法は使用されてよく、それにより、異なったＳＳを使用することによって搬送波にアクセスする端末は、ＰＲＢグリッドの一致した理解を有することができる。更に、上記の実施形態の方法を使用することによって、端末は、データ／制御情報の送信及び受信を正確に行うために、データ／制御情報伝送を行うために使用されるＰＲＢグリッドを正確に取得することができる。
【０２２２】
本願の実施形態は、上記の方法のいずれか１つを実装するよう構成された装置を更に提供し、例えば、上記の方法のいずれか１つで端末によって実行されるステップを実装するよう構成されたユニット（又は手段）を含む装置を提供し、他の例として、上記の方法のいずれか１つでネットワークデバイスによって実行されるステップを実装するよう構成されたユニット（又は手段）を含む他の装置を更に提供する。
【０２２３】
装置内のユニットの分割は、単に、論理機能の分割であることが理解されるべきである。実際の実施中に、ユニットの全て又は一部のユニットは物理エンティティに組み込まれてよく、あるいは、物理的に分離されてよい。更に、装置内の全てのユニットは、処理要素によって呼び出されるソフトウェアの形で実施されても、又はハードウェアによって実施されてもよく、あるいは、一部のユニットは、処理要素によって呼び出されるソフトウェアの形で実施されてよく、一部のユニットは、ハードウェアによって実施されてよい。例えば、実施中に、ユニットは、別個に配置された処理要素であってよく、あるいは、装置のチップに組み込まれてもよい。代替的に、ユニットは、メモリにおいてプログラムの形で記憶され、そのユニットの機能を実行するよう装置の処理要素によって呼び出されてもよい。他のユニットの実施もそれらと同様である。更に、それらのユニットの全て又は一部は、統合されても、又は別々に実施されてもよい。ここでの処理要素は、信号処理機能を備えた集積回路であってよい。実施プロセス中に、上記の方法のステップ又は上記のユニットは、プロセッサ要素内のハードウェア集積論理回路、又はソフトウェアの形をとった命令を使用することによって、完了されてよい。
【０２２４】
例えば、装置内のユニットは、上記の方法を実装する１以上の集積回路、例えば、１以上の特定用途向け集積回路（Application  Specific  Integrated  Circuit，ＡＳＩＣ）、１以上のデジタル信号プロセッサ（digital  signal  processor，ＤＳＰ）、１以上のフィールド・プログラマブル・ゲート・アレイ（Field  Programmable  Gate  Array，ＦＰＧＡ）、などとして構成されてよい。他の例として、装置内のユニットが、処理要素によってプログラムをスケジューリングする形で実施され得る場合に、処理要素は汎用プロセッサ、例えば、中央演算処理装置（Central  Processing  Unit，ＣＰＵ）又はプログラムを呼び出すことができる他のプロセッサであってよい。他の例として、これらのユニットは、一体化されて、システム・オン・チップ（system-on-a-chip，ＳＯＣ）の形で実施されてもよい。
【０２２５】
図２２は、上記の実施形態でのネットワークデバイスの動作を実装するための、本願の実施形態に従うネットワークデバイスの略構造図である。図２２に示されるように、ネットワークデバイスは、アンテナ２２１、無線周波数装置２２２、及びベースバンド装置２２３を含む。アンテナ２２１は、無線周波数装置２２２へ接続されている。アップリンク方向で、無線周波数装置２２２は、アンテナ２２１を通じて、端末によって送信された情報を受信し、端末によって送信された情報を処理のためにベースバンド装置２２３へ送る。ダウンリンク方向で、ベースバンド装置２２３は、端末のための情報を処理し、端末のための情報を無線周波数装置２２２へ送り、無線周波数装置２２２は、端末のための情報を処理し、それから、処理された情報を、アンテナ２２１を通じて端末へ送る。
【０２２６】
ネットワークデバイスに適用された上記の装置は、ベースバンド装置２２３に配置されてよい。実施において、ネットワークデバイスが上記の方法のステップを実装するためのユニットは、処理要素によってプログラムをスケジューリングする形で実施されてよい。例えば、ベースバンド装置２２３は、処理要素２２３１及び記憶要素２２３２を含む。処理要素２２３１は、記憶要素２２３２に記憶されているプログラムを呼び出して、上記の方法実施形態でネットワークデバイスによって実行される方法を実行する。更に、ベースバンド装置２２３は、無線周波数装置２２２と情報をやりとりするよう構成されたインターフェイス２２３３を更に含んでもよい。インターフェイスは、例えば、共通公衆無線インターフェイス（common  public  radio  interface，ＣＲＰＩ）である。
【０２２７】
他の実施では、ネットワークデバイスが上記の方法のステップを実装するためのユニットは、１以上の処理要素として構成されてもよい。これらの処理要素は、ベースバンド装置２２３に配置される。ここでの処理要素は、集積回路、例えば、１以上のＡＳＩＣ、１以上のＤＳＰ、１以上のＦＰＧＡ、などであってよい。これらの集積回路は、チップを形成するように集積されてもよい。
【０２２８】
それらのユニットは一体化されて、システム・オン・チップ（system-on-a-chip，ＳＯＣ）の形で実施されてもよい。例えば、ベースバンド装置２２３は、上記の方法を実装するよう構成されたＳＯＣチップを含む。チップは、処理要素２２３１及び記憶要素２２３２と一体化されてもよく、処理要素２２３１が、記憶要素２２３２に記憶されているプログラムを呼び出して、ネットワークデバイスによって実行される上記の方法を実装し、あるいは、チップは、ネットワークデバイスによって実行される上記の方法を実装するよう、少なくとも１つの集積回路と一体化されてもよく、あるいは、上記の実施は、組み合わされてもよく、このとき、いくつかのユニットの機能は、プログラムを呼び出すことによって処理要素によって実施され、いくつかのユニットの機能は、集積回路によって実施される。
【０２２９】
使用される様態にかかわらず、ネットワークデバイスに適用された上記の装置は、少なくとも１つの処理要素と、記憶要素とを含み、少なくとも１つの処理要素は、ネットワークデバイスによって実行される方法であって、上記の方法実施形態で提供される該方法を実行するよう構成される。処理要素は、第１の様態で、すなわち、記憶要素に記憶されているプログラムを呼び出すことによって、上記の方法実施形態でネットワークデバイスによって実行されるステップの一部又は全てを実行してよく、あるいは、第２の様態で、すなわち、プロセッサ要素内のハードウェア集積論理回路と、命令とを使用することによって、上記の方法実施形態でネットワークデバイスによって実行されるステップの一部又は全てを実行してよく、あるいは、確かに、第１の様態及び第２の様態を組み合わせることによって、上記の方法実施形態でネットワークデバイスによって実行されるステップの一部又は全てを実行してよい。
【０２３０】
ここでの処理要素は、上記で説明されたものと同じであり、汎用プロセッサ、例えば、中央演算処理装置（Central  Processing  Unit，ＣＰＵ）であってよく、あるいは、上記の方法を実装する１以上の集積回路、例えば、１以上の特定用途向け集積回路（Application  Specific  Integrated  Circuit，ＡＳＩＣ）、１以上のデジタル信号プロセッサ（digital  signal  processor，ＤＳＰ）、１以上のフィールド・プログラマブル・ゲート・アレイ（Field  Programmable  Gate  Array，ＦＰＧＡ）、などとして構成されてよい。
【０２３１】
記憶要素は、メモリであってよく、あるいは、複数の記憶要素の総称であってよい。
【０２３２】
図２３は、本願の実施形態に従う端末の略構造図である。端末は、上記の実施形態での端末の動作を実装するよう構成された、上記の実施形態の端末であってよい。図２３に示されるように、端末は、アンテナ、無線周波数装置２３１、及びベースバンド装置２３２を含む。アンテナは、無線周波数装置２３１へ接続されている。ダウンリンク方向で、無線周波数装置２３１は、アンテナを通じて、ネットワークデバイスによって送信された情報を受信し、ネットワークデバイスによって送信された情報を処理のためにベースバンド装置２３２へ送る。アップリンク方向で、ベースバンド装置２３２は、端末からの情報を処理し、端末からの情報を無線周波数装置２３１へ送り、無線周波数装置２３１は、端末からの情報を処理し、それから、処理された情報を、アンテナを通じてネットワークデバイスへ送る。
【０２３３】
ベースバンド装置は、様々な通信プロトコルレイヤでデータを処理するよう構成されたモデムサブシステムを含んでよく、更には、端末オペレーティングシステム及びアプリケーションレイヤを処理するよう構成された中央演算処理サブシステムを含んでもよく、更には、マルチメディアサブシステム及びペリフェラルサブシステムのような他のサブシステムを含んでもよく、ここで、マルチメディアサブシステムは、端末のカメラ、スクリーン表示、などを制御するよう構成され、ペリフェラルサブシステムは、他のデバイスとの接続を実装するよう構成される。モデムサブシステムは、別個に配置されたチップであってよい。任意に、上記の周波数領域リソースの処理装置は、モデムサブシステムで実装されてよい。
【０２３４】
実施において、端末が上記の方法のステップを実装するためのユニットは、処理要素によってプログラムをスケジューリングする形で実施されてよい。例えば、モデムサブシステムのような、ベースバンド装置２３２のサブシステムは、処理要素２３２１及び記憶要素２３２２を含む。処理要素２３２１は、記憶要素２３２２に記憶されているプログラムを呼び出して、上記の方法実施形態で端末によって実行される方法を実行する。更に、ベースバンド装置２３２は、無線周波数装置２３１と情報をやりとりするよう構成されたインターフェイス２３２３を更に含んでもよい。
【０２３５】
他の実施では、端末が上記の方法のステップを実装するためのユニットは、１以上の処理要素として構成されてもよい。これらの処理要素は、ベースバンド装置２３２の特定のサブシステム、例えば、モデムサブシステムに配置される。ここでの処理要素は、集積回路、例えば、１以上のＡＳＩＣ、１以上のＤＳＰ、１以上のＦＰＧＡ、などであってよい。これらの集積回路は、チップを形成するように集積されてもよい。
【０２３６】
例えば、端末が上記の方法のステップを実装するためのユニットは、一体化されて、システム・オン・チップ（system-on-a-chip，ＳＯＣ）の形で実施されてもよい。例えば、ベースバンド装置２３２は、上記の方法を実装するよう構成されたＳＯＣチップを含む。チップは、処理要素２３２１及び記憶要素２３２２と一体化されてもよく、処理要素２３２１が、記憶要素２３２２に記憶されているプログラムを呼び出して、端末によって実行される上記の方法を実装し、あるいは、チップは、端末によって実行される上記の方法を実装するよう、少なくとも１つの集積回路と一体化されてもよく、あるいは、上記の実施は、組み合わされてもよく、このとき、いくつかのユニットの機能は、プログラムを呼び出すことによって処理要素によって実施され、いくつかのユニットの機能は、集積回路によって実施される。
【０２３７】
使用される様態にかかわらず、端末に適用された上記の装置は、少なくとも１つの処理要素と、記憶要素とを含み、少なくとも１つの処理要素は、端末によって実行される方法であって、上記の方法実施形態で提供される該方法を実行するよう構成される。処理要素は、第１の様態で、すなわち、記憶要素に記憶されているプログラムをスケジューリングすることによって、上記の方法実施形態で端末によって実行されるステップの一部又は全てを実行してよく、あるいは、第２の様態で、すなわち、プロセッサ要素内のハードウェア集積論理回路と、命令とを使用することによって、上記の方法実施形態で端末によって実行されるステップの一部又は全てを実行してよく、あるいは、確かに、第１の様態及び第２の様態を組み合わせることによって、上記の方法実施形態で端末によって実行されるステップの一部又は全てを実行してよい。
【０２３８】
ここでの処理要素は、上記で説明されたものと同じであり、汎用プロセッサ、例えば、中央演算処理装置（Central  Processing  Unit，ＣＰＵ）であってよく、あるいは、上記の方法を実装する１以上の集積回路、例えば、１以上の特定用途向け集積回路（Application  Specific  Integrated  Circuit，ＡＳＩＣ）、１以上のデジタル信号プロセッサ（digital  signal  processor，ＤＳＰ）、１以上のフィールド・プログラマブル・ゲート・アレイ（Field  Programmable  Gate  Array，ＦＰＧＡ）、などとして構成されてよい。
【０２３９】
記憶要素は、メモリであってよく、あるいは、複数の記憶要素の総称であってよい。
【０２４０】
当業者であれば、方法実施形態のステップの全部又は一部が、関連するハードウェアに指示するプログラムによって実装されてもよい、と理解し得る。プログラムは、コンピュータ可読記憶媒体に記憶されてよい。プログラムが実行されると、方法実施形態のステップが実行される。上記の記憶媒体には、ＲＯＭ、ＲＡＭ、磁気ディスク、又は光ディスクのような、プログラムコードを記憶することができるいかなる媒体も含まれる。
【図１】
2020530743.tif 000018
【図２】
2020530743.tif 000019
【図３】
2020530743.tif 000020
【図４】
2020530743.tif 000021
【図５】
2020530743.tif 000022
【図６】
2020530743.tif 000023
【図７】
2020530743.tif 000024
【図８】
2020530743.tif 000025
【図９】
2020530743.tif 000026
【図１０】
2020530743.tif 000027
【図１１】
2020530743.tif 000028
【図１２】
2020530743.tif 000029
【図１３】
2020530743.tif 000030
【図１４】
2020530743.tif 000031
【図１５】
2020530743.tif 000032
【図１６】
2020530743.tif 000033
【図１７】
2020530743.tif 000034
【図１８】
2020530743.tif 000035
【図１９】
2020530743.tif 000036
【図２０】
2020530743.tif 000037
【図２１】
2020530743.tif 000038
【図２２】
2020530743.tif 000039
【図２３】
2020530743.tif 000040
【図２４】
2020530743.tif 000041
【図２５】
2020530743.tif 000042
【図２６】
2020530743.tif 000043
【手続補正書】
【提出日】令和2年4月2日(2020.4.2)
【手続補正１】
【補正対象書類名】特許請求の範囲
【補正対象項目名】全文
【補正方法】変更
【補正の内容】
【特許請求の範囲】
【請求項１】
通信方法であって
端末によってネットワークデバイスから同期信号を受信し、該同期信号に使用される物理リソースブロックグリッドは第１物理リソースブロックグリッドである、ことと、
前記端末によって前記ネットワークデバイスから、前記第１物理リソースブロックグリッドと第２物理リソースブロックグリッドとの間の第１周波数オフセットを示すために使用される第１指示情報を受信することと、
前記端末によって前記ネットワークデバイスから、前記第２物理リソースブロックグリッドと第３物理リソースブロックグリッドとの間の第２周波数オフセットを示すために使用される第２指示情報を受信することと
を有する方法。
【請求項２】
前記端末によって前記同期信号に基づき前記第１物理リソースブロックグリッドを決定することと、
前記端末によって前記第１物理リソースブロックグリッド及び前記第１周波数オフセットに基づき前記第２物理リソースブロックグリッドを決定することと
を更に有する、
請求項１に記載の方法。
【請求項３】
前記端末によって前記第２物理リソースブロックグリッド及び前記第２周波数オフセットに基づき前記第３物理リソースブロックグリッドを決定することを更に有する、
請求項１又は２に記載の方法。
【請求項４】
前記端末によって前記第３物理リソースブロックグリッドに基づき前記ネットワークデバイスとの情報伝送を行うことを更に有する、
請求項１乃至３のうちいずれか一項に記載の方法。
【請求項５】
前記端末によって前記ネットワークデバイスから第１指示情報を受信することは、
前記端末によって物理ブロードキャストチャネル（ＰＢＣＨ）を通じて前記第１指示情報を受信することを有する、
請求項１乃至４のうちいずれか一項に記載の方法。
【請求項６】
前記端末によって前記ネットワークデバイスから第２指示情報を受信することは、
前記端末によって、前記第２指示情報を運ぶ剰余最小システム情報（ＲＭＳＩ）を受信することを有する、
請求項１乃至５のうちいずれか一項に記載の方法。
【請求項７】
前記第２物理リソースブロックグリッドのサブキャリア間隔は、１５ｋＨｚ又は６０ｋＨｚである、
請求項１乃至６のうちいずれか一項に記載の方法。
【請求項８】
前記第２物理リソースブロックグリッドのサブキャリア間隔は、前記同期信号のサブキャリア間隔と同じである、
請求項１乃至７のうちいずれか一項に記載の方法。
【請求項９】
前記第２物理リソースブロックグリッドのサブキャリア間隔は、前記第３物理リソースブロックグリッドのサブキャリア間隔とは異なる、
請求項１乃至８のうちいずれか一項に記載の方法。
【請求項１０】
前記第３物理リソースブロックグリッドのサブキャリア間隔は、前記第２物理リソースブロックグリッドのサブキャリア間隔よりも大きい、
請求項９に記載の方法。
【請求項１１】
通信方法であって、
ネットワークデバイスによって同期信号を端末へ送信し、前記同期信号に使用される物理リソースブロックグリッドは第１物理リソースブロックグリッドである、ことと、
前記ネットワークデバイスによって、前記第１物理リソースブロックグリッドと第２物理リソースブロックグリッドとの間の第１周波数オフセットを示すために使用される第１指示情報を前記端末へ送信することと、
前記ネットワークデバイスによって、前記第２物理リソースブロックグリッドと第３物理リソースブロックグリッドとの間の第２周波数オフセットを示すために使用される第２指示情報を前記端末へ送信することと
を有する方法。
【請求項１２】
前記ネットワークデバイスによって前記第３物理リソースブロックグリッドに基づき前記端末との情報伝送を行うことを更に有する、
請求項１１に記載の方法。
【請求項１３】
前記ネットワークデバイスによって第１指示情報を前記端末へ送信することは、
前記ネットワークデバイスによって物理ブロードキャストチャネル（ＰＢＣＨ）を通じて前記第１指示情報を送信することを有する、
請求項１１又は１２に記載の方法。
【請求項１４】
前記ネットワークデバイスによって第２指示情報を前記端末へ送信することは、
前記ネットワークデバイスによって、前記第２指示情報を運ぶ剰余最小システム情報（ＲＭＳＩ）を送信することを有する、
請求項１１乃至１３のうちいずれか一項に記載の方法。
【請求項１５】
前記第２物理リソースブロックグリッドのサブキャリア間隔は、１５ｋＨｚ又は６０ｋＨｚである、
請求項１１乃至１４のうちいずれか一項に記載の方法。
【請求項１６】
前記第２物理リソースブロックグリッドのサブキャリア間隔は、前記同期信号のサブキャリア間隔と同じである、
請求項１１乃至１５のうちいずれか一項に記載の方法。
【請求項１７】
前記第２物理リソースブロックグリッドのサブキャリア間隔は、前記第３物理リソースブロックグリッドのサブキャリア間隔とは異なる、
請求項１乃至１６のうちいずれか一項に記載の方法。
【請求項１８】
前記第３物理リソースブロックグリッドのサブキャリア間隔は、前記第２物理リソースブロックグリッドのサブキャリア間隔よりも大きい、
請求項１７に記載の方法。
【請求項１９】
請求項１乃至１０のうちいずれか一項に記載の方法を実行するよう構成されたユニットを有する通信装置。
【請求項２０】
処理要素を有し、
前記処理要素は、記憶要素へ接続し、該記憶要素に記憶されているプログラムを実行して、請求項１乃至１０のうちいずれか一項に記載の方法を実施するよう構成される、
通信装置。
【請求項２１】
請求項１１乃至１８のうちいずれか一項に記載の方法を実行するよう構成されたユニットを有する通信装置。
【請求項２２】
処理要素を有し、
前記処理要素は、記憶要素へ接続し、該記憶要素に記憶されているプログラムを実行して、請求項１１乃至１８のうちいずれか一項に記載の方法を実施するよう構成される、
通信装置。
【請求項２３】
コンピュータプログラムが記憶されており、該プログラムがプロセッサによって実行されるときに、請求項１乃至１０のうちいずれか一項に記載の方法が実施される、
コンピュータ記憶媒体。
【請求項２４】
コンピュータプログラムが記憶されており、該プログラムがプロセッサによって実行されるときに、請求項１１乃至１８のうちいずれか一項に記載の方法が実施される、
コンピュータ記憶媒体。
【手続補正２】
【補正対象書類名】明細書
【補正対象項目名】００２０
【補正方法】変更
【補正の内容】
【００２０】
実施において、ネットワークデバイスは、ＰＢＣＨを通じて第３指示情報を送信するか、又は剰余最小システム情報（ＲＭＳＩ）を使用することによって第３指示情報を送信するか、又は無線リソース制御（ＲＲＣ）メッセージを使用することによって第３指示情報を送信する。相応して、端末は、ＰＢＣＨ、ＲＭＳＩ、又はＲＲＣメッセージを通じて第３指示情報を受信する。
【国際調査報告】
2020530743.tif 000044
2020530743.tif 000045
2020530743.tif 000046
2020530743.tif 000047